(57)【要約】【課題】装置、回路の規模を特に大型、複雑化することなく、より確実に希望する被写体に合焦した静止画像を撮影して記憶させる。【解決手段】自動合焦機能を有し、被写体像を撮影するレンズ光学系32、モータ31，ＣＣＤ33を含む撮影系と、撮影を指示するシャッタキー９を含むキー入力部49と、シャッタキー９の操作に応じ、撮影系で自動合焦機能を動作させた静止画像及び一定の被写界深度が得られる固定焦点での静止画像を連続して撮影させる制御部42とを備える。【選択図】図２
2006215266.tif 000002
【特許請求の範囲】
【請求項１】
自動合焦機能を有し、被写体像を撮影する撮影手段と、
この撮影手段による撮影を指示する指示手段と、
この指示手段での指示に応じ、上記撮影手段で上記自動合焦機能を動作させた静止画像及び一定の被写界深度が得られる予め指定された位置にレンズを移動させて静止画像を撮影させる撮影制御手段と
を具備したことを特徴とする撮像装置。
【請求項２】
上記指示手段は、２段階の操作ストロークを有し、
上記撮影制御手段は、上記指示手段の第１段階の操作で一定の被写界深度が得られる予め指定された位置にレンズを移動させての静止画像の撮影を、第２段階の操作で自動合焦での撮影を実行させる
ことを特徴とする請求項１記載の撮像装置。
【請求項３】
上記指示手段は、使用者の手指の接触を検知する検知手段を備え、
上記撮影制御手段は、上記指示手段への手指の接触を検知した際に一定の被写界深度が得られる予め指定された位置にレンズを移動させての静止画像の撮影と自動合焦を実行させ、上記指示手段での指示操作がなされた際に自動合焦での撮影を実行させる
ことを特徴とする請求項１記載の撮像装置。
【請求項４】
上記撮影制御手段は、一定の被写界深度が得られる予め指定された位置にレンズを移動させての撮影後に自動合焦での撮影を実行しなかった場合、一定の被写界深度が得られる予め指定された位置にレンズを移動させての撮影により得た画像データを破棄することを特徴とする請求項２または３記載の撮像装置。
【請求項５】
上記自動合焦機能による合焦位置が得ずらい状態を判断する判断手段をさらに具備し、
上記撮影制御手段は、この判断手段での判断結果に応じて上記一定の被写界深度が得られる予め指定された位置にレンズを移動させての静止画像の撮影の実行の有無を切り換える
ことを特徴とする請求項１記載の撮像装置。
【請求項６】
上記判断手段は、上記指示手段での指示に応じ、上記撮影手段で上記自動合焦機能を動作させてから合焦位置が得られるまでの時間により判断することを特徴とする請求項５記載の撮像装置。
【請求項７】
上記撮影手段での撮影に同期した本発光とその事前のプリ発光の２回の発光動作により被写体像方向に補助光を照射する補助照明手段をさらに具備し、
上記撮影制御手段は、上記プリ発光時に上記一定の被写界深度が得られる予め指定された位置にレンズを移動させての撮影を実行させ、上記本発光時に自動合焦での撮影を実行させる
ことを特徴とする請求項１記載の撮像装置。
【請求項８】
上記指示手段は、２段階の操作ストロークを有し、
上記撮影制御手段は、上記指示手段の第１段階の操作がなされてから第２段階の操作に移行するまでの時間を計測し、その計測値が所定時間値以下であった場合に一定の被写界深度が得られる予め指定された位置にレンズを移動させての撮影と、第２段階の操作で自動合焦での撮影を連続して実行させる
ことを特徴とする請求項１記載の撮像装置。
【請求項９】
指示手段での指示時の手振れ状態を検出する検知手段をさらに具備し、
上記撮影制御手段は、上記検知手段の出力レベルに応じ、自動合焦での撮影に加えて一定の被写界深度が得られる予め指定された位置にレンズを移動させての撮影を実行させる
ことを特徴とする請求項１記載の撮像装置。
【請求項１０】
上記撮影手段での撮影に同期した本発光とその事前のプリ発光の２回の発光動作により被写体像方向に補助光を照射する補助照明手段と、
上記プリ発光時に上記固定焦点での撮影を実行させるか否かを指定する指定手段とをさらに具備し、
上記撮影制御手段は、上記指定手段での指定内容に応じ、上記プリ発光時またはプリ発光時を外して上記一定の被写界深度が得られる予め指定された位置にレンズを移動させての撮影を実行させ、上記本発光時に自動合焦での撮影を実行させる
ことを特徴とする請求項１記載の撮像装置。
【請求項１１】
上記撮影手段での合焦位置を任意に固定して設定する焦点位置設定手段をさらに具備し、
上記撮影制御手段は、上記焦点位置設定手段で設定した焦点位置での撮影、上記一定の被写界深度が得られる予め指定された位置にレンズを移動させての撮影、及び上記自動合焦での撮影の少なくとも２つの撮影を連続して実行させる
ことを特徴とする請求項１記載の撮像装置。
【請求項１２】
上記撮影手段での所定の撮影条件を段階的に可変設定するブラケティング設定手段をさらに具備し、
上記撮影制御手段は、上記一定の被写界深度が得られる予め指定された位置にレンズを移動させての撮影及び上記自動合焦での撮影の一方に代えて、上記ブラケティング設定手段で段階的に可変設定された所定の撮影条件での複数の撮影を上記撮影手段に実行させる
ことを特徴とする請求項１記載の撮像装置。
【請求項１３】
自動合焦機能を有し、被写体像を撮影する撮影手段と、
この撮影手段による撮影を指示する指示手段と、
上記撮影手段による複数の撮影条件を予めプログラム設定したシーンプログラム設定手段と、
このシーンプログラム設定手段で設定されている複数の撮影条件の中から１つを選択する選択手段と、
上記指示手段での指示に応じ、上記撮影手段により上記選択手段で選択した撮影条件のプログラム設定に基づいた静止画像を撮影させると共に、選択した撮影条件が所定のものである場合に一定の被写界深度が得られる予め指定された位置にレンズを移動させて静止画像を撮影させる撮影制御手段と
を具備したことを特徴とする撮像装置。
【請求項１４】
連続撮影された、自動合焦での撮影により得た静止画像と一定の被写界深度が得られる予め指定された位置にレンズを移動させての撮影により得た静止画像を識別し、優先順位を付与した上で対応付けて記憶する記憶手段と、
上記記憶手段に対応付けて記憶される複数組の静止画像から１つを選択する選択手段と、
この選択手段で選択した、対応付けて記憶された静止画像でより優先順位の高いものを表示させる表示制御手段と、
この表示制御手段により表示された静止画像に対して入替えを指示する指示手段と、
この指示手段での指示に応じて上記記憶手段に記憶される静止画像の優先順位を書換える書換手段と
を具備したことを特徴とする画像記憶装置。
【請求項１５】
自動合焦機能を有し、被写体像を撮影する撮影部を備えた撮像装置の撮影方法であって、
上記撮影部での撮影を指示する指示工程と、
この指示工程での指示に応じ、上記撮影部で上記自動合焦機能を動作させた静止画像及び一定の被写界深度が得られる予め指定された位置にレンズを移動させて静止画像を撮影させる撮影制御工程と
を有したことを特徴とする撮像方法。
【請求項１６】
自動合焦機能を有し、被写体像を撮影する撮影部を備えた撮像装置の撮影方法であって、
上記撮影部での撮影を指示する指示工程と、
上記撮影部による複数の撮影条件を予めプログラム設定したシーンプログラム設定工程と、
このシーンプログラム設定工程で設定されている複数の撮影条件の中から１つを選択する選択工程と、
上記指示工程での指示に応じ、上記撮影部により上記選択工程で選択した撮影条件のプログラム設定に基づいた静止画像を撮影させると共に、選択した撮影条件が所定のものである場合に一定の被写界深度が得られる予め指定された位置にレンズを移動させて静止画像を撮影させる撮影制御工程と
を有したことを特徴とする撮像方法。
【請求項１７】
静止画像を記憶する記憶部を備えた画像記憶装置の記憶方法であって、
連続撮影された、自動合焦での撮影により得た静止画像と一定の被写界深度が得られる予め指定された位置にレンズを移動させての撮影により得た静止画像を識別し、優先順位を付与した上で対応付けて上記記憶部に記憶する記憶制御工程と、
上記記憶部に対応付けて記憶される複数組の静止画像から１つを選択する選択工程と、
この選択工程で選択した、対応付けて記憶された静止画像中でより優先順位の高いものを表示させる表示制御工程と、
この表示制御工程で表示された静止画像に対して入替えを指示する指示工程と、
この指示工程での指示に応じて上記記憶部に記憶される静止画像の優先順位を書換える書換工程と
を有したことを特徴とする記憶方法。
【請求項１８】
自動合焦機能を有し、被写体像を撮影する撮影部を備えた撮像装置に内蔵されたコンピュータが実行するプログラムであって、
上記撮影部での撮影を指示する指示ステップと、
この指示ステップでの指示に応じ、上記撮影部で上記自動合焦機能を動作させた静止画像及び一定の被写界深度が得られる予め指定された位置にレンズを移動させて静止画像を撮影させる撮影制御ステップと
をコンピュータに実行させることを特徴とするプログラム。
【請求項１９】
自動合焦機能を有し、被写体像を撮影する撮影部を備えた撮像装置に内蔵されたコンピュータが実行するプログラムであって、
上記撮影部での撮影を指示する指示ステップと、
上記撮影部による複数の撮影条件を予めプログラム設定したシーンプログラム設定ステップと、
このシーンプログラム設定ステップで設定されている複数の撮影条件の中から１つを選択する選択ステップと、
上記指示ステップでの指示に応じ、上記撮影部により上記選択ステップで選択した撮影条件のプログラム設定に基づいた静止画像を撮影させると共に、選択した撮影条件が所定のものである場合に一定の被写界深度が得られる予め指定された位置にレンズを移動させて静止画像を撮影させる撮影制御ステップと
をコンピュータに実行させることを特徴とするプログラム。
【請求項２０】
静止画像を記憶する記憶部を備えた画像記憶装置に内蔵されたコンピュータが実行するプログラムであって、
連続撮影された、自動合焦での撮影により得た静止画像と一定の被写界深度が得られる予め指定された位置にレンズを移動させての撮影により得た静止画像を識別し、優先順位を付与した上で対応付けて上記記憶部に記憶する記憶制御ステップと、
上記記憶部に対応付けて記憶される複数組の静止画像から１つを選択する選択ステップと、
この選択ステップで選択した、対応付けて記憶された静止画像中でより優先順位の高いものを表示させる表示制御ステップと、
この表示制御ステップで表示された静止画像に対して入替えを指示する指示ステップと、
この指示ステップでの指示に応じて上記記憶部に記憶される静止画像の優先順位を書換える書換ステップと
をコンピュータに実行させることを特徴とするプログラム。
【発明の詳細な説明】
【技術分野】
【０００１】
本発明は、特に自動合焦機能を有するデジタルスチルカメラ等に好適な撮像装置、画像記憶装置、撮像方法、記憶方法及びプログラムに関する。
【背景技術】
【０００２】
従来、被写体との距離が激しく変動する場合や、被写体の周囲に余滴利の異なる物体が多い場合にも、撮影社が希望する被写体にピントがあった画像を撮影するべく、１回の撮影操作で焦点距離の異なる複数枚の画像を撮影させるようにした技術が考えられている。（例えば、特許文献１）
【特許文献１】特開平１１−１７７８７３号公報
【発明の開示】
【発明が解決しようとする課題】
【０００３】
しかしながら上記特許文献の技術は、本来適正と思われる焦点距離以外の焦点距離の画像も連続して複数枚撮影するべく、焦点距離を瞬時に変更可能な高速可変焦点レンズとその駆動回路を備えるようにしたもので、装置の構成が複雑で高価になると共に、撮影により得られる複数の画像を記憶するためのメモリもより大容量のものが必要となる。
【０００４】
このように上記特許文献の技術は、換言すれば「数撃てば当たる」式の発想からなされたものであり、装置の負担が大きく、小型軽量でコンパクト性や電池の寿命等を重視したタイプのデジタルカメラには不適である。
【０００５】
本発明は上記のような実情に鑑みてなされたもので、その目的とするところは、装置や回路の規模をそれほど大型化、複雑化することなく、より確実に希望する被写体に合焦した静止画像を撮影して記憶し、また記憶した静止画像を必要により読出して表示させることが可能な撮像装置、画像記憶装置、撮像方法、記憶方法及びプログラムを提供することにある。
【課題を解決するための手段】
【０００６】
請求項１記載の発明は、自動合焦機能を有し、被写体像を撮影する撮影手段と、この撮影手段による撮影を指示する指示手段と、この指示手段での指示に応じ、上記撮影手段で上記自動合焦機能を動作させた静止画像及び一定の被写界深度が得られる予め指定された位置にレンズを移動させて静止画像を撮影させる撮影制御手段とを具備したことを特徴とする。
【０００７】
請求項２記載の発明は、上記請求項１記載の発明において、上記指示手段は、２段階の操作ストロークを有し、上記撮影制御手段は、上記指示手段の第１段階の操作で一定の被写界深度が得られる予め指定された位置にレンズを移動させての静止画像の撮影を、第２段階の操作で自動合焦での撮影を実行させることを特徴とする。
【０００８】
請求項３記載の発明は、上記請求項１記載発明において、上記指示手段は、使用者の手指の接触を検知する検知手段を備え、上記撮影制御手段は、上記指示手段への手指の接触を検知した際に一定の被写界深度が得られる予め指定された位置にレンズを移動させての静止画像の撮影と自動合焦を実行させ、上記指示手段での指示操作がなされた際に自動合焦での撮影を実行させることを特徴とする。
【０００９】
請求項４記載の発明は、上記請求項２または３記載の発明において、上記撮影制御手段は、一定の被写界深度が得られる予め指定された位置にレンズを移動させての撮影後に自動合焦での撮影を実行しなかった場合、固定焦点での撮影により得た画像データを破棄することを特徴とする。
【００１０】
請求項５記載の発明は、上記請求項１記載の発明において、上記自動合焦機能による合焦位置が得ずらい状態を判断する判断手段をさらに具備し、上記撮影制御手段は、この判断手段での判断結果に応じて上記一定の被写界深度が得られる予め指定された位置にレンズを移動させての静止画像の撮影の実行の有無を切り換える
ことを特徴とする。
【００１１】
請求項６記載の発明は、上記請求項５記載の発明において、上記判断手段は、上記指示手段での指示に応じ、上記撮影手段で上記自動合焦機能を動作させてから合焦位置が得られるまでの時間により判断することを特徴とする。
【００１２】
請求項７記載の発明は、上記請求項１記載の発明において、上記撮影手段での撮影に同期した本発光とその事前のプリ発光の２回の発光動作により被写体像方向に補助光を照射する補助照明手段をさらに具備し、上記撮影制御手段は、上記プリ発光時に上記一定の被写界深度が得られる予め指定された位置にレンズを移動させての撮影を実行させ、上記本発光時に自動合焦での撮影を実行させることを特徴とする。
【００１３】
請求項８記載の発明は、上記請求項１記載の発明において、上記指示手段は、２段階の操作ストロークを有し、上記撮影制御手段は、上記指示手段の第１段階の操作がなされてから第２段階の操作に移行するまでの時間を計測し、その計測値が所定時間値以下であった場合に一定の被写界深度が得られる予め指定された位置にレンズを移動させての静止画像の撮影と、第２段階の操作で自動合焦での撮影を連続して実行させることを特徴とする。
【００１４】
請求項９記載の発明は、上記請求項１記載の発明において、指示手段での指示時の手振れ状態を検出する検知手段をさらに具備し、上記撮影制御手段は、上記検知手段の出力レベルに応じ、自動合焦での撮影に加えて一定の被写界深度が得られる予め指定された位置にレンズを移動させての撮影を実行させることを特徴とする。
【００１５】
請求項１０記載の発明は、上記請求項１記載の発明において、上記撮影手段での撮影に同期した本発光とその事前のプリ発光の２回の発光動作により被写体像方向に補助光を照射する補助照明手段と、上記プリ発光時に上記固定焦点での撮影を実行させるか否かを指定する指定手段とをさらに具備し、上記撮影制御手段は、上記指定手段での指定内容に応じ、上記プリ発光時またはプリ発光時を外して上記一定の被写界深度が得られる予め指定された位置にレンズを移動させての撮影を実行させ、上記本発光時に自動合焦での撮影を実行させることを特徴とする。
【００１６】
請求項１１記載の発明は、上記請求項１記載の発明において、上記撮影手段での合焦位置を任意に固定して設定する焦点位置設定手段をさらに具備し、上記撮影制御手段は、上記焦点位置設定手段で設定した焦点位置での撮影、上記一定の被写界深度が得られる予め指定された位置にレンズを移動させての撮影、及び上記自動合焦での撮影の少なくとも２つの撮影を連続して実行させることを特徴とする。
【００１７】
請求項１２記載の発明は、上記請求項１記載の発明において、上記撮影手段での所定の撮影条件を段階的に可変設定するブラケティング設定手段をさらに具備し、上記撮影制御手段は、上記一定の被写界深度が得られる予め指定された位置にレンズを移動させての撮影及び上記自動合焦での撮影の一方に代えて、上記ブラケティング設定手段で段階的に可変設定された所定の撮影条件での複数の撮影を上記撮影手段に実行させることを特徴とする。
【００１８】
請求項１３記載の発明は、自動合焦機能を有し、被写体像を撮影する撮影手段と、この撮影手段による撮影を指示する指示手段と、上記撮影手段による複数の撮影条件を予めプログラム設定したシーンプログラム設定手段と、このシーンプログラム設定手段で設定されている複数の撮影条件の中から１つを選択する選択手段と、上記指示手段での指示に応じ、上記撮影手段により上記選択手段で選択した撮影条件のプログラム設定に基づいた静止画像を撮影させると共に、選択した撮影条件が所定のものである場合に一定の被写界深度が得られる予め指定された位置にレンズを移動させて静止画像を撮影させる撮影制御手段とを具備したことを特徴とする。
【００１９】
請求項１４記載の発明は、連続撮影された、自動合焦での撮影により得た静止画像と一定の被写界深度が得られる予め指定された位置にレンズを移動させての撮影により得た静止画像を識別し、優先順位を付与した上で対応付けて記憶する記憶手段と、上記記憶手段に対応付けて記憶される複数組の静止画像から１つを選択する選択手段と、この選択手段で選択した、対応付けて記憶された静止画像でより優先順位の高いものを表示させる表示制御手段と、この表示制御手段により表示された静止画像に対して入替えを指示する指示手段と、この指示手段での指示に応じて上記記憶手段に記憶される静止画像の優先順位を書換える書換手段とを具備したことを特徴とする。
【００２０】
請求項１５記載の発明は、自動合焦機能を有し、被写体像を撮影する撮影部を備えた撮像装置の撮影方法であって、上記撮影部での撮影を指示する指示工程と、この指示工程での指示に応じ、上記撮影部で上記自動合焦機能を動作させた静止画像及び一定の被写界深度が得られる予め指定された位置にレンズを移動させて静止画像を撮影させる撮影制御工程とを有したことを特徴とする。
【００２１】
請求項１６記載の発明は、自動合焦機能を有し、被写体像を撮影する撮影部を備えた撮像装置の撮影方法であって、上記撮影部での撮影を指示する指示工程と、上記撮影部による複数の撮影条件を予めプログラム設定したシーンプログラム設定工程と、このシーンプログラム設定工程で設定されている複数の撮影条件の中から１つを選択する選択工程と、上記指示工程での指示に応じ、上記撮影部により上記選択工程で選択した撮影条件のプログラム設定に基づいた静止画像を撮影させると共に、選択した撮影条件が所定のものである場合に一定の被写界深度が得られる予め指定された位置にレンズを移動させて静止画像を撮影させる撮影制御工程とを有したことを特徴とする。
【００２２】
請求項１７記載の発明は、静止画像を記憶する記憶部を備えた画像記憶装置の記憶方法であって、連続撮影された、自動合焦での撮影により得た静止画像と一定の被写界深度が得られる予め指定された位置にレンズを移動させての撮影により得た静止画像を識別し、優先順位を付与した上で対応付けて上記記憶部に記憶する記憶制御工程と、上記記憶部に対応付けて記憶される複数組の静止画像から１つを選択する選択工程と、この選択工程で選択した、対応付けて記憶された静止画像中でより優先順位の高いものを表示させる表示制御工程と、この表示制御工程で表示された静止画像に対して入替えを指示する指示工程と、この指示工程での指示に応じて上記記憶部に記憶される静止画像の優先順位を書換える書換工程とを有したことを特徴とする。
【００２３】
請求項１８記載の発明は、自動合焦機能を有し、被写体像を撮影する撮影部を備えた撮像装置に内蔵されたコンピュータが実行するプログラムであって、上記撮影部での撮影を指示する指示ステップと、この指示ステップでの指示に応じ、上記撮影部で上記自動合焦機能を動作させた静止画像及び一定の被写界深度が得られる予め指定された位置にレンズを移動させての固定焦点での静止画像を撮影させる撮影制御ステップとをコンピュータに実行させることを特徴とする。
【００２４】
請求項１９記載の発明は、自動合焦機能を有し、被写体像を撮影する撮影部を備えた撮像装置に内蔵されたコンピュータが実行するプログラムであって、上記撮影部での撮影を指示する指示ステップと、上記撮影部による複数の撮影条件を予めプログラム設定したシーンプログラム設定ステップと、このシーンプログラム設定ステップで設定されている複数の撮影条件の中から１つを選択する選択ステップと、上記指示ステップでの指示に応じ、上記撮影部により上記選択ステップで選択した撮影条件のプログラム設定に基づいた静止画像を撮影させると共に、選択した撮影条件が所定のものである場合に一定の被写界深度が得られる予め指定された位置にレンズを移動させて静止画像を撮影させる撮影制御ステップとをコンピュータに実行させることを特徴とする。
【００２５】
請求項２０記載の発明は、静止画像を記憶する記憶部を備えた画像記憶装置に内蔵されたコンピュータが実行するプログラムであって、連続撮影された、自動合焦での撮影により得た静止画像と一定の被写界深度が得られる予め指定された位置にレンズを移動させての撮影により得た静止画像を識別し、優先順位を付与した上で対応付けて上記記憶部に記憶する記憶制御ステップと、上記記憶部に対応付けて記憶される複数組の静止画像から１つを選択する選択ステップと、この選択ステップで選択した、対応付けて記憶された静止画像中でより優先順位の高いものを表示させる表示制御ステップと、この表示制御ステップで表示された静止画像に対して入替えを指示する指示ステップと、この指示ステップでの指示に応じて上記記憶部に記憶される静止画像の優先順位を書換える書換ステップとをコンピュータに実行させることを特徴とする。
【発明の効果】
【００２６】
請求項１記載の発明によれば、１回の指示操作により自動合焦機能を働かせた静止画像と所謂パンフォーカスと称される、一定の被写界深度が得られる予め指定された位置にレンズを移動させて静止画像とを連続して撮影させるものとしたので、自動合焦による静止画像のピントが外れていた場合でも一定の被写界深度が得られる予め指定された位置にレンズを移動させて撮影した静止画像のピントが合っている可能性がきわめて高く、装置や回路の規模を特に大型化、複雑化せずとも、希望する被写体に合焦した静止画像を高い確率で撮影して記憶することができる。
【００２７】
請求項２記載の発明によれば、上記請求項１記載の発明の効果に加えて、一般に多くのカメラでＡＦ（自動合焦）やＡＥ（自動露光）のロックを行なうシャッタキーの所謂半押し操作で一定の被写界深度が得られる予め指定された位置にレンズを移動させての静止画像を撮影し、その後の全押し操作で自動合焦での静止画像を撮影するものとしたので、違和感なく一定の被写界深度が得られる予め指定された位置にレンズを移動させての静止画像を得ることができる。
【００２８】
請求項３記載の発明によれば、上記請求項１記載の発明の効果に加えて、ユーザの手指がシャッタキーに触れた時点で一定の被写界深度が得られる予め指定された位置にレンズを移動させての静止画像を撮影し、その後のシャッタキーが操作された時点で自動合焦での静止画像を撮影するものとしたので、違和感なく一定の被写界深度が得られる予め指定された位置にレンズを移動させての静止画像を得ることができる。
【００２９】
請求項４記載の発明によれば、上記請求項２または３記載の発明の効果に加えて、自動合焦機能による本撮影に至らなかった場合に、その前に撮影した一定の被写界深度が得られる予め指定された位置にレンズを移動させての画像データを破棄するものとしたので、不要に画像データの記憶容量を消費してしまうのを回避できる。
【００３０】
請求項５記載の発明によれば、上記請求項１記載の発明の効果に加えて、例えばコントラスト方式の自動合焦機能を有する場合に被写体の照度不足でコントラスト検出ができない場合など、必要に応じて一定の被写界深度が得られる予め指定された位置にレンズを移動させての静止画像の撮影を効果的に撮影することができる。
【００３１】
請求項６記載の発明によれば、上記請求項５記載の発明の効果に加えて、所定の時間で限って判断を行なうため、短時間のうちに判断結果を得て対処することが可能となる。
【００３２】
請求項７記載の発明によれば、上記請求項１記載の発明の効果に加えて、ストロボ撮影のプリ発光を有効に活用して一定の被写界深度が得られる予め指定された位置にレンズを移動させての静止画像を得ることができる。
【００３３】
請求項８記載の発明によれば、上記請求項１記載の発明の効果に加えて、適正な時間を設定することで、急いでシャッタキーを全押しした場合を検出して一定の被写界深度が得られる予め指定された位置にレンズを移動させての静止画像と自動合焦での静止画像とを得るようにしたため、シャッタチャンスにピンボケの静止画像しか得られない事態を回避し、確実に希望する被写体に合焦した静止画像を撮影して記憶することができる。
【００３４】
請求項９記載の発明によれば、上記請求項１記載の発明の効果に加えて、手振れの発生を検出した場合に一定の被写界深度が得られる予め指定された位置にレンズを移動させての静止画像と自動合焦での静止画像とを得るようにしたので、自動焦点での静止画像に手振れが生じている場合でも一定の被写界深度が得られる予め指定された位置にレンズを移動させての静止画像はその影響を免れている可能性があり、撮影の失敗を帳消しにすることができる。
【００３５】
請求項１０記載の発明によれば、上記請求項１記載の発明の効果に加えて、ユーザの指定に応じ、プリ発光時またはプリ発光時を外しての上記一定の被写界深度が得られる予め指定された位置にレンズを移動させての撮影を実行させるようにしたため、ユーザの意図を正確に反映して固定焦点の静止画像を得ることができる。
【００３６】
請求項１１記載の発明によれば、上記請求項１記載の発明の効果に加えて、ユーザの指定するマニュアルフォーカスや無限遠等の設定を活かし、ユーザの意図を正確に反映した静止画像を得ることができる。
【００３７】
請求項１２記載の発明によれば、上記請求項１記載の発明の効果に加えて、必要に応じてブラケティング設定した内容での撮影を併用でき、ユーザの撮影意図に適合する静止画像をより高い確率で得ることができる。
【００３８】
請求項１３記載の発明によれば、シーンプログラムの選択内容に応じ、必要と考えられる場合には一定の被写界深度が得られる予め指定された位置にレンズを移動させての静止画像も併せて撮影するものとしたので、自動合焦による静止画像のピントが外れていた場合でも必要により得た一定の被写界深度が得られる予め指定された位置にレンズを移動させての静止画像のピントが合っている可能性は高く、装置や回路の規模を特に大型化、複雑化せずとも、希望する被写体に合焦した静止画像を高い確率で撮影して記憶することができる。
【００３９】
請求項１４記載の発明によれば、連続して撮影された自動合焦での静止画像と一定の被写界深度が得られる予め指定された位置にレンズを移動させての静止画像とを対応付けて記憶し、それらでより優先順位の高い方を選択して表示するものとし、且つ該優先順位を任意に書換可能としたので、ユーザの意図を反映した、よりよい画像を簡易な操作で読出して表示させることが可能となる。
【００４０】
請求項１５記載の発明によれば、１回の指示操作により自動合焦機能を働かせた静止画像と所謂パンフォーカスと称される、一定の被写界深度が得られる予め指定された位置にレンズを移動させての静止画像とを連続して撮影させるものとしたので、自動合焦による静止画像のピントが外れていた場合でも一定の被写界深度が得られる予め指定された位置にレンズを移動させての静止画像のピントが合っている可能性がきわめて高く、装置や回路の規模を特に大型化、複雑化せずとも、希望する被写体に合焦した静止画像を高い確率で撮影して記憶することができる。
【００４１】
請求項１６記載の発明によれば、シーンプログラムの選択内容に応じ、必要と考えられる場合には一定の被写界深度が得られる予め指定された位置にレンズを移動させての静止画像も併せて撮影させるものとしたので、自動合焦による静止画像のピントが外れていた場合でも必要により得た一定の被写界深度が得られる予め指定された位置にレンズを移動させての静止画像のピントが合っている可能性は高く、装置や回路の規模を特に大型化、複雑化せずとも、希望する被写体に合焦した静止画像を高い確率で撮影して記憶させることができる。
【００４２】
請求項１７記載の発明によれば、連続して撮影された自動合焦での静止画像と一定の被写界深度が得られる予め指定された位置にレンズを移動させての静止画像とを対応付けて記憶させ、それらでより優先順位の高い方を選択して表示させるものとし、且つ該優先順位を任意に書換可能としたので、ユーザの意図を反映した、よりよい画像を簡易な操作で読出して表示させることが可能となる。
【００４３】
請求項１８記載の発明によれば、１回の指示操作により自動合焦機能を働かせた静止画像と所謂パンフォーカスと称される、一定の被写界深度が得られる予め指定された位置にレンズを移動させての静止画像とを連続して撮影させるものとしたので、自動合焦による静止画像のピントが外れていた場合でも一定の被写界深度が得られる予め指定された位置にレンズを移動させての静止画像のピントが合っている可能性がきわめて高く、装置や回路の規模を特に大型化、複雑化せずとも、希望する被写体に合焦した静止画像を高い確率で撮影して記憶することができる。
【００４４】
請求項１９記載の発明によれば、シーンプログラムの選択内容に応じ、必要と考えられる場合には一定の被写界深度が得られる予め指定された位置にレンズを移動させての静止画像も併せて撮影させるものとしたので、自動合焦による静止画像のピントが外れていた場合でも必要により得た一定の被写界深度が得られる予め指定された位置にレンズを移動させての静止画像のピントが合っている可能性は高く、装置や回路の規模を特に大型化、複雑化せずとも、希望する被写体に合焦した静止画像を高い確率で撮影して記憶させることができる。
【００４５】
請求項２０記載の発明によれば、連続して撮影された自動合焦での静止画像と一定の被写界深度が得られる予め指定された位置にレンズを移動させての静止画像とを対応付けて記憶させ、それらでより優先順位の高い方を選択して表示させるものとし、且つ該優先順位を任意に書換可能としたので、ユーザの意図を反映した、よりよい画像を簡易な操作で読出して表示させることが可能となる。
【発明を実施するための最良の形態】
【００４６】
（第１の実施の形態）  
以下本発明をデジタルカメラに適用した場合の第１の実施の形態について図面を参照して説明する。
【００４７】
図１は、その外観構成を示すもので、図１（Ａ）が主に前面の、図１（Ｂ）が主に背面の構成を示す斜視図である。
【００４８】
このデジタルカメラ１は、略矩形の薄板状のボディ２の前面に、撮影レンズ３、セルフタイマランプ４、光学ファインダ窓５、ストロボ発光部６、及びマイクロホン部７を配設し、上面の（ユーザにとって）右端側には電源キー８及びシャッタキー９を配する。
【００４９】
撮影レンズ３は、広角域から望遠域に至る可変焦点機能、所謂ズーム機能と、ＡＦ（自動合焦）機能を有するレンズ構成とする。
【００５０】
電源キー８は、電源のオン／オフ毎に操作するキーであり、シャッタキー９は、撮影モード時に撮影を指示する。
【００５１】
また、デジタルカメラ１の背面には、テレ（Ｔ）キー１０、ワイド（Ｗ）キー１１、撮影（Ｒ）モードキー１２、再生（Ｐ）モードキー１３、リングキー１４、セット（ＳＥＴ）キー１５、メニュー（ＭＥＮＵ）キー１６、光学ファインダ１７、スピーカ部１８、マクロキー１９、ストロボキー２０、及び表示部２１を配する。
【００５２】
テレキー１０及びワイドキー１１は、撮影レンズ３の焦点距離を望遠側あるいは広角側に可変する際に操作する。
【００５３】
撮影モードキー１２は、電源オフの状態から操作することで自動的に電源オンとして静止画の撮影モードに移行する一方で、電源オンの状態から繰返し操作することで、静止画撮影、動画撮影、音声録音の各状態を循環的に選択設定する。
【００５４】
再生モードキー１３は、電源オフの状態から操作することで自動的に電源オンとして再生モードに移行する。
【００５５】
リングキー１４は、上下左右各方向への項目選択用のキーが一体に形成されたものであり、このリングキー１４の中央に位置するセットキー１５で、その時点で選択されている項目を設定する。
【００５６】
メニューキー１６は、各種メニュー項目等を選択させる際に操作する。
【００５７】
マクロキー１９は、静止画の撮影モードで通常撮影とマクロ撮影とを切換える際に操作する。ストロボキー２０は、上記ストロボ発光部６の発光モードを切換える際に操作する。
【００５８】
表示部２１は、バックライト付きのカラー液晶パネルで構成されるもので、撮影モード時には電子ファインダとしてスルー画像のモニタ表示を行なう一方で、再生モード時には選択した画像等を再生表示する。
【００５９】
なお、図示はしないがこのデジタルカメラ１の底面には、記憶媒体として用いられるメモリカードを着脱するためのメモリカードスロットや、外部のパーソナルコンピュータ等と接続するためのシリアルインタフェースコネクタとして、例えばＵＳＢ（Ｕｎｉｖｅｒｓａｌ  Ｓｅｒｉｕａｌ  Ｂｕｓ）コネクタ等が設けられるものとする。
【００６０】
次いで図２により上記デジタルカメラ１の電子回路構成を説明する。  
撮影モードでのモニタリング状態においては、モータ（Ｍ）３１の駆動により上記撮影レンズ３を構成するレンズ光学系３２中の一部のレンズ、具体的にはズームレンズ及びフォーカスレンズの位置が適宜移動される。このレンズ光学系３２の撮影光軸後方の結像位置に、図示しないメカニカルシャッタを介して、固体撮像素子であるＣＣＤ３３が配置される。
【００６１】
ＣＣＤ３３は、タイミング発生器（ＴＧ）３４、ＣＣＤドライバ３５によって走査駆動され、一定周期毎に結像した光像に対応する光電変換出力を１画面分出力する。
【００６２】
この光電変換出力は、アナログ値の信号の状態でＲＧＢの各原色成分毎に適宜ゲイン調整された後に、サンプルホールド回路（Ｓ／Ｈ）３６でサンプルホールドされ、Ａ／Ｄ変換器３７でデジタルデータに変換され、カラープロセス回路３８で画素補間処理及びγ補正処理を含むカラープロセス処理が行なわれて、デジタル値の輝度信号Ｙ及び色差信号Ｃｂ，Ｃｒが生成され、ＤＭＡ（Ｄｉｒｅｃｔ  Ｍｅｍｏｒｙ  Ａｃｃｅｓｓ）コントローラ３９に出力される。
【００６３】
ＤＭＡコントローラ３９は、カラープロセス回路３８の出力する輝度信号Ｙ及び色差信号Ｃｂ，Ｃｒを、同じくカラープロセス回路３８からの複合同期信号、メモリ書込みイネーブル信号、及びクロック信号を用いて一度ＤＭＡコントローラ３９内部のバッファに書込み、ＤＲＡＭインタフェース（Ｉ／Ｆ）４０を介してバッファメモリとして使用されるＤＲＡＭ４１にＤＭＡ転送を行なう。
【００６４】
制御部４２は、ＣＰＵと、後述する撮影時の自動合焦と固定焦点での撮影を含む動作プログラムを固定的に記憶したＲＯＭ、及びワークメモリとして使用されるＲＡＭ等により構成され、このデジタルカメラ１全体の制御動作を司るもので、上記輝度及び色差信号のＤＲＡＭ４１へのＤＭＡ転送終了後に、この輝度及び色差信号をＤＲＡＭインタフェース４０を介してＤＲＡＭ４１より読出し、ＶＲＡＭコントローラ４３を介してＶＲＡＭ４４に書込む。
【００６５】
デジタルビデオエンコーダ４５は、上記輝度及び色差信号をＶＲＡＭコントローラ４３を介してＶＲＡＭ４４より定期的に読出し、これらのデータを元にビデオ信号を発生して上記表示部２１に出力する。
【００６６】
表示部２１は、上述した如く画像撮影モード時にはモニタ表示部（電子ファインダ）として機能するもので、デジタルビデオエンコーダ４５からのビデオ信号に基づいた表示を行なうことで、その時点でデジタルビデオエンコーダ４５から取込んでいる画像情報に基づく画像をリアルタイムに表示することとなる。
【００６７】
このように表示部２１にその時点での画像がモニタ画像としてリアルタイムに表示されている、所謂スルー画像の表示状態で、静止画撮影を行ないたいタイミングで上記シャッタキー９を操作すると、トリガ信号を発生する。
【００６８】
制御部４２は、このトリガ信号に応じてその時点でＣＣＤ３３から取込んでいる１画面分の輝度及び色差信号のＤＲＡＭ４１へのＤＭＡ転送を取り止め、あらためて適正な露出条件に従ったシャッタ速度で図示しないメカニカルシャッタ及び上記ＣＣＤ３３を駆動して１画面分の起動及び色差信号を得てＤＲＡＭ４１へ転送し、その後にこの経路を停止し、記憶保存の状態に遷移する。
【００６９】
この記憶保存の状態では、制御部４２がＤＲＡＭ４１に書込まれている１フレーム分の輝度及び色差信号をＤＲＡＭインタフェース４０を介してＹ，Ｃｂ，Ｃｒの各コンポーネント毎に縦８画素×横８画素の基本ブロックと呼称される単位で読出してＪＰＥＧ（Ｊｏｉｎｔ  Ｐｈｏｔｏｇｒａｐｈ  ｃｏｄｉｎｇ  Ｅｘｐｅｒｔｓ  Ｇｒｏｕｐ）回路４６に書込み、このＪＰＥＧ回路４６でＡＤＣＴ（Ａｄａｐｔｉｖｅ  Ｄｉｓｃｒｅｔｅ  Ｃｏｓｉｎｅ  Ｔｒａｎｓｆｏｒｍ：適応離散コサイン変換）、エントロピ符号化方式であるハフマン符号化等の処理によりデータ圧縮する。
【００７０】
そして、得た符号データを１画像のデータファイルとして該ＪＰＥＧ回路４６から読出し、このデジタルカメラ１の記憶媒体である内蔵メモリ４７またはこのデジタルカメラ１に着脱自在に装着されるメモリカード４８に書込む。
【００７１】
そして、１フレーム分の輝度及び色差信号の圧縮処理及び内蔵メモリ４７またはメモリカード４８への全圧縮データの書込み終了に伴なって、制御部４２はＣＣＤ３３からＤＲＡＭ４１への経路を再び起動する。
【００７２】
ここで内蔵メモリ４７とメモリカード４８とでは、メモリカード４８を優先して静止画像の画像データを始めとする各種データの書込み及び読出しを行なうものとする。すなわち、メモリカード４８が取り外されて存在しない状態では内蔵メモリ４７に対する書込み／読出しを行なう一方で、メモリカード４８が装着されている状態ではメモリカード４８に対してデータの書込み／読出しを行なうものとする。
【００７３】
また、制御部４２には、キー入力部４９、音声処理部５０、加速度センサ５１、及びストロボ駆動部５２が接続される。
【００７４】
キー入力部４９は、上述した電源キー８、シャッタキー９、テレキー１０、ワイドキー１１、撮影モードキー１２、再生モードキー１３、リングキー１４、セットキー１５、メニューキー１６、マクロキー１９、及びストロボキー２０から構成され、それらのキー操作に伴なう信号は直接制御部４２へ送出される。
【００７５】
音声処理部５０は、ＰＣＭ音源等の音源回路を備え、音声の録音時には上記マイクロホン部（ＭＩＣ）７より入力された音声信号をデジタル化し、所定のデータファイル形式、例えばＭＰ３（ＭＰＥＧ−１  ａｕｄｉｏ  ｌａｙｅｒ  ３）規格にしたがってデータ圧縮して音声データファイルを作成して上記内蔵メモリ４７またはメモリカード４８へ送出する一方、音声の再生時には内蔵メモリ４７またはメモリカード４８から送られてきた音声データファイルの圧縮を解いてアナログ化し、上述したデジタルカメラ１の背面側に設けられるスピーカ部（ＳＰ）１８を駆動して、拡声放音させる。
【００７６】
加速度センサ５１は、特に上記ＣＣＤ３３の撮像面と平行な平面に沿った方向の移動加速度を検知し、その検知出力をデジタル化して制御部４２へ送出する。
【００７７】
ストロボ駆動部５２は、静止画像撮影時に図示しないストロボ用の大容量コンデンサを充電した上で、制御部４２からの制御に基づいて上記ストロボ発光部６を閃光駆動する。
【００７８】
しかるに、静止画像ではなく動画像の撮影が選択されている場合には、１回目のシャッタキー９が操作された時点で、上述した静止画データを取得してＪＰＥＧ回路４６でデータ圧縮し、内蔵メモリ４７またはメモリカード４８へ記憶するという一連の動作を適宜フレームレート、例えば３０［フレーム／秒］で連続して実行するものとして開始し、該シャッタキー９が２回目に操作されるか、または所定の制限時間、例えば３０秒が経過した時点でそれら一連の静止画データファイルを一括してモーションＪＰＥＧのデータファイル（ＡＶＩファイル）として設定し直す。
【００７９】
また、再生モード時には、制御部４２が内蔵メモリ４７またはメモリカード４８に記憶されている画像データを選択的に読出し、ＪＰＥＧ回路４６で撮影モード時にデータ圧縮した手順と全く逆の手順で圧縮されている画像データを伸長し、伸長した画像データをＤＲＡＭインタフェース４０を介しＤＲＡＭ４１に保持させた上で、このＤＲＡＭ４１の保持内容をＶＲＡＭコントローラ４３を介してＶＲＡＭコントローラ４３に記憶させ、このＶＲＡＭ４４より定期的に画像データを読出してビデオ信号を発生し、上記表示部２１で再生出力させる。
【００８０】
選択した画像データが静止画像ではなく動画像であった場合、選択した動画像ファイルを構成する個々の静止画データの再生を時間的に連続して実行し、最後の静止画データの再生を終了した時点で、次に再生の指示がなされるまで先頭に位置する静止画データのみを用いて再生表示する。
【００８１】
次に上記実施の形態の動作について説明する。  
なお、このデジタルカメラ１においても、一般的な他のカメラと同様に、シャッタキー９が２段階の操作ストロークを有し、第１段階としてフルストロークの半分程度までの操作、一般に半押しと称される操作状態で自動合焦（ＡＦ）処理と自動露光（ＡＥ）処理とを実行してそれぞれの処理値をロックし、その後、第２段階としてフルストロークの操作、一般に全押しと称される操作状態で、上記ＡＦ値及びＡＥ値による本撮影を実行する、という動作ロジックに基づいた撮影動作を実行するものとする。
【００８２】
また、後述する固定焦点での撮影(予め指定された位置にレンズを移動させる）での撮影（図中では「ＰＦ撮影」と称する）とは、その時点で選択されているズームレンズの焦点距離位置とその時点のＩＳＯ感度設定、及びＡＥ値（光量）から、制御部４２内のＲＯＭに予め固定記憶されているルックアップテーブルよりフォーカスレンズを所定の位置に移動させると共に、絞り（Ｆ）値とシャッタ速度とを読出して設定する、所謂「絞り込み」を行なった撮影を実行することで、実用上遠近ほぼ全域に渡った被写界深度を得るパンフォーカス（ＰＦ）と呼ばれる状態か、あるいはそれに近い一定の大きな被写界深度を得て撮影を行なうことを指す。
【００８３】
図３は、撮影モードで静止画像の撮影を実行する場合に実行される処理の内容を示すもので、その当初にはその時点で所定のフレームレート、例えば３０［フレーム／秒］で収まるように簡易なＡＦ処理とＡＥ処理を実行し、フレームレートを考慮した高速シャッタ速度によりＣＣＤ３３を連続的に駆動することで、ＣＣＤ３３で撮像されている内容を表示部２１で表示するスルー画像表示の状態を維持しながら（ステップＡ０１）、キー入力部４９のシャッタキー９が半押し操作されたか否かを判断する（ステップＡ０２）、という処理を繰返し実行することで、シャッタキー９が半押し状態となるのを待機する。
【００８４】
しかして、シャッタキー９が半押し操作されるとステップＡ０２でこれを判断し、その時点のレンズ光学系３２のズームレンズ位置に応じた焦点距離とＡＥ値とによりレンズ光学系３２のフォーカスレンズを移動させて、一定の大きな被写界深度が得られる固定焦点での撮影を実行し、得た画像をＤＲＡＭ４１に保持しておく（ステップＡ０３）。
【００８５】
併せて、被写体までの距離値を正確に測定し、その焦点距離値をロックする一方で、上記固定焦点での静止画像の撮影を実行したことを例えば「ピピピ‥‥」というような電子音をスピーカ部１８で拡声出力させることによりユーザに報知する（ステップＡ０４）。
【００８６】
次いで上記自動合焦位置をロックした状態から適正な露光値を得、その露光値から絞り値及びシャッタ速度を設定してロックした上で（ステップＡ０５）、シャッタキー９がさらに全押し操作されたか否か（ステップＡ０６）、まだ半押し操作されているか否か（ステップＡ０７）を繰返し判断することで、ＡＦ及びＡＥの各状態をロックしながらシャッタキー９が全押し操作されるか、あるいは半押し操作の状態が解除されるのを待機する。
【００８７】
ここで、シャッタキー９の半押し操作が解除された場合には、ステップＡ０７でこれを判断し、本撮影には至らなかったものとし、その時点でＤＲＡＭ４１に保持している、上記ステップＡ０３で固定焦点での撮影により得た静止画像のデータを破棄するべく消去した後に（ステップＡ０８）、再び上記ステップＡ０１からの処理に戻る。
【００８８】
また、上記ＡＦ値及びＡＥ値をロックした状態から、シャッタキー９が全押し操作されると、ステップＡ０６でこれを判断し、上記自動合焦機能による撮影条件をロックしたままの状態で静止画像の撮影を実行して画像データを得る（ステップＡ０９）。
【００８９】
その後、この自動合焦により得た静止画像のデータと上記ステップＡ０３で固定焦点で得た静止画像のデータとを共にＪＰＥＧ回路４６でデータ圧縮してファイル化し、内蔵メモリ４７またはメモリカード４８に対にして記憶保存し（ステップＡ１０）、以上で一連の撮影に関する処理を終了して、再び次の撮影に備えるべく上記ステップＡ０１からの処理に戻る。
【００９０】
この場合、内蔵メモリ４７またはメモリカード４８に記録するデータファイルとしては、例えば自動合焦で撮影した静止画像のデータファイルに  
「２００３０９０８０００１ａ．ｊｐｇ」  
のようなファイル名を設定して記憶する一方で、固定焦点で撮影した静止画像のデータファイルには  
「２００３０９０８０００１ｂ．ｊｐｇ」  
のようなファイル名を設定して記憶することで、これら２つのデータファイルが対であるものとして認識し、且つ識別することが可能であるものとする。
【００９１】
上記ファイル名中、「２００３０９０８０００１」は「２００３（年）０９（月）０８（日）」に「０００１」番目に撮影したものであることを示す。ファイルに付加設定される撮影条件データとしては、一般的な撮影日時やＩＳＯ感度、画像サイズ、シャッタ速度、絞り（Ｆ）値、ホワイトバランス情報等の他に、自動合焦機能を動作させて撮影したものであるか、固定焦点で撮影したものであるかを示す識別情報を付加設定しておくものとする。
【００９２】
したがって、記憶されたデータファイルのファイル名により２つの静止画像が対であり、連続して撮影されものであることが識別可能となるだけでなく、撮影条件データにより自動合焦機能を動作させて撮影したものであるか、固定焦点で撮影したものであるかを識別することができる。
【００９３】
図４（Ａ）は、再生モード時に固定合焦で撮影した静止画像を読出して表示部２１で表示させている状態を例示するもので、撮影条件データに基づき、画面中に固定焦点で撮影したものであることを示す「ＰＦ」の文字を例えば画面の左上端部に表示するものとしている。
【００９４】
一方、図４（Ｂ）は、上記図４（Ａ）で示した静止画像と対にして記憶されている、自動合焦機能を動作させて撮影した静止画像を読出して表示部２１で表示させている状態を例示するもので、撮影条件データに基づき、画面中に自動合焦機能を動作させて撮影したものであることを示す「ＡＦ」の文字を例えば画面の左上端部に表示するものとしている。
【００９５】
このように、上記図４（Ａ）及び図４（Ｂ）を参照しても理解できる如く、自動合焦機能を動作させて撮影した静止画像が結果として「ピンボケ」あるいは手振れ等の要因により不鮮明なものであった場合でも、その直前に固定焦点で撮影した静止画像は充分に鮮明なものである可能性はきわめて高く、装置や回路の規模を特に大型化、複雑化せずとも、希望する被写体に合焦した静止画像を高い確率で撮影して記憶することが可能となる。
【００９６】
加えて、一般に多くのカメラでＡＦ（自動合焦）やＡＥ（自動露光）のロックを行なうシャッタキー９の所謂半押し操作で固定焦点の静止画像を撮影し、その後の全押し操作で自動合焦での静止画像を撮影するものとしたので、ユーザが違和感なく固定焦点での静止画像を得ることができる。
【００９７】
さらに、自動合焦機能による本撮影に至らなかった場合には、その前に撮影した固定焦点での画像データを破棄するものとしたので、記憶容量に制限のある内蔵メモリ４７またはメモリカード４８の記憶容量を不要に消費してしまうのを確実に回避できる。
【００９８】
なお、シャッタキー９が半押し操作されると、一定の大きな被写界深度が得られる固定焦点での撮影を行なっているが、固定焦点での撮影は上記ステップＡ０９のＡＦ撮影後に行なってもよい。
【００９９】
（第２の実施の形態）  
以下本発明をデジタルカメラに適用した場合の第２の実施の形態について図面を参照して説明する。
【０１００】
なお、その外観構成については上記図１と、電子回路の機能構成については上記図２と基本的に同様であるものとし、同一部分には同一符号を用いるものとしてその図示と説明を省略する。
【０１０１】
また、上記撮影レンズ３を構成するレンズ光学系３２はコントラスト方式の自動合焦機能に対応したものであり、フォーカスレンズの移動によってＣＣＤ３３で結像される画像のコントラストが変化することで、最もコントラスト値が高くなる位置を制御部４２により判断するものとする。
【０１０２】
次に上記実施の形態の動作について説明する。  
なお、このデジタルカメラ１においても、一般的な他のカメラと同様に、シャッタキー９が２段階の操作ストロークを有し、第１段階としてフルストロークの半分程度までの操作、一般に半押しと称される操作状態で自動合焦（ＡＦ）処理と自動露光（ＡＥ）処理とを実行してそれぞれの処理値をロックし、その後、第２段階としてフルストロークの操作、一般に全押しと称される操作状態で、上記ＡＦ値及びＡＥ値による本撮影を実行する、という動作ロジックに基づいた撮影動作を実行するものとする。
【０１０３】
また、後述する固定焦点での撮影(図中では「ＰＦ撮影」と称する）とは、その時点で選択されているズームレンズの焦点距離位置とその時点のＩＳＯ感度設定、及びＡＥ値（光量）から、制御部４２内のＲＯＭに予め固定記憶されているルックアップテーブルよりフォーカスレンズを所定の位置に移動させると共に、絞り（Ｆ）値とシャッタ速度とを読出して設定する、所謂「絞り込み」を行なった撮影を実行することで、実用上遠近ほぼ全域に渡った被写界深度を得るパンフォーカス（ＰＦ）と呼ばれる状態か、あるいはそれに近い一定の大きな被写界深度を得て撮影を行なうことを指す。
【０１０４】
図５は、撮影モードで静止画像の撮影を実行する場合に実行される処理の内容を示すもので、その当初にはその時点で所定のフレームレート、例えば３０［フレーム／秒］で収まるように簡易なＡＦ処理とＡＥ処理を実行し、フレームレートを考慮した高速シャッタ速度によりＣＣＤ３３を連続的に駆動することで、ＣＣＤ３３で撮像されている内容を表示部２１で表示するスルー画像表示の状態を維持しながら（ステップＢ０１）、キー入力部４９のシャッタキー９が半押し操作されたか否かを判断する（ステップＢ０２）、という処理を繰返し実行することで、シャッタキー９が半押し状態となるのを待機する。
【０１０５】
しかして、シャッタキー９が半押し操作されるとステップＢ０２でこれを判断し、制御部４２の内部タイマによる計時動作を開始すると共に（ステップＢ０３）、被写体までの距離値を測定するＡＦ動作を開始させる（ステップＢ０４）。
【０１０６】
その後、このＡＦ動作が完了して被写体までの距離値が得られたか否か（ステップＢ０５）、あるいは上記制御部４２の内部タイマが一定の計時値、例えば「３［秒］」となったか否か（ステップＢ０６）を繰返し判断することで、ＡＦ処理が完了するか、あるいは制御部４２の内部タイマの計時値が一定となるのを待機する。
【０１０７】
しかして、制御部４２の内部タイマの計時値が一定となる前にＡＦ処理が完了した場合には、ステップＢ０５でこれを判断し、続いてそのＡＦ処理により得た自動合焦位置をロックした状態から、ＡＥ処理により適正な露光値を得、その露光値から絞り値及びシャッタ速度を設定してロックする（ステップＢ０７）。
【０１０８】
一方で、ＡＦ処理が完了する前に制御部４２の内部タイマの計時値が一定になってしまった場合には、例えば低照度環境でコントラスト方式のＡＦ処理が困難であるものと所定ステップＢ０６でこれを判断し、その時点で設定されているレンズ光学系３２の焦点距離から固定焦点の設定を行なうと共に、ＡＥ処理により適正な露光値を得、その露光値から絞り値及びシャッタ速度を設定してロックする（ステップＢ０８）。
【０１０９】
上記ステップＢ０７あるいはＢ０８の処理後、今度はシャッタキー９がさらに全押し操作されたか否か（ステップＢ０９）、まだ半押し操作されているか否か（ステップＢ１０）を繰返し判断することで、合焦位置及びＡＥの各状態をロックしながらシャッタキー９が全押し操作されるか、あるいは半押し操作の状態が解除されるのを待機する。
【０１１０】
ここで、シャッタキー９の半押し操作が解除された場合には、ステップＢ１０でこれを判断し、合焦位置とＡＥ状態のロックを解除し、再び上記ステップＢ０１からの処理に戻る。
【０１１１】
また、合焦位置及びＡＥ状態をロックした状態から、シャッタキー９が全押し操作されると、ステップＢ０９でこれを判断し、その時点で設定される合焦方式に応じた合焦位置とＡＥ値とをロックしたままの状態で静止画像の撮影を実行して画像データを得（ステップＢ１１）、得た静止画像のデータをＪＰＥＧ回路４６でデータ圧縮してファイル化し、内蔵メモリ４７またはメモリカード４８に記憶保存し（ステップＢ１２）、以上で一連の撮影に関する処理を終了して、再び次の撮影に備えるべく上記ステップＢ０１からの処理に戻る。
【０１１２】
このように、例えばコントラスト方式の自動合焦機能を有するカメラで、被写体の照度不足で正確なコントラスト検出ができない場合など、必要に応じて自動合焦機能に代えて自動的に固定焦点への切換えを行なった上で静止画像の撮影を行なうようになるため、貴重なシャッタチャンスを逃してしまう可能性を低減し、確実に撮影を実行することができる。
【０１１３】
上記実施の形態の場合、特に自動合焦に要する時間が一定の値となったか否かにより判断を行なうものとしたため、短時間のうちに判断結果を得て、適宜対処することが可能となる。
【０１１４】
なお、上記実施の形態では、ＡＦ処理による正確な合焦距離が得られない状態をＡＦ処理を開始してから完了するまでの時間により判断する物したが、本発明はこれに限らず、例えば始めにＡＥ処理を行なってその露光値等により判断を行なうものとしても良い。
【０１１５】
（第３の実施の形態）  
以下本発明をデジタルカメラに適用した場合の第３の実施の形態について図面を参照して説明する。
【０１１６】
なお、その外観構成については上記図１と、電子回路の機能構成については上記図２と基本的に同様であるものとし、同一部分には同一符号を用いるものとしてその図示と説明を省略する。
【０１１７】
次に上記実施の形態の動作について説明する。  
なお、このデジタルカメラ１においても、一般的な他のカメラと同様に、シャッタキー９が２段階の操作ストロークを有し、第１段階としてフルストロークの半分程度までの操作、一般に半押しと称される操作状態で自動合焦（ＡＦ）処理と自動露光（ＡＥ）処理とを実行してそれぞれの処理値をロックし、その後、第２段階としてフルストロークの操作、一般に全押しと称される操作状態で、上記ＡＦ値及びＡＥ値による本撮影を実行する、という動作ロジックに基づいた撮影動作を実行するものとする。
【０１１８】
また、後述する固定焦点での撮影(図中では「ＰＦ撮影」と称する）とは、その時点で選択されているズームレンズの焦点距離位置とその時点のＩＳＯ感度設定、及びＡＥ値（光量）から、制御部４２内のＲＯＭに予め固定記憶されているルックアップテーブルよりフォーカスレンズを所定の位置に移動させると共に、絞り（Ｆ）値とシャッタ速度とを読出して設定する、所謂「絞り込み」を行なった撮影を実行することで、実用上遠近ほぼ全域に渡った被写界深度を得るパンフォーカス（ＰＦ）と呼ばれる状態か、あるいはそれに近い一定の大きな被写界深度を得て撮影を行なうことを指す。
【０１１９】
さらに、このデジタルカメラ１でストロボ発光に伴う撮影を行なう場合、すなわちストロボの自動発光モードが設定されており且つストロボの発光なしでは被写体の照度が充分得られない場合、あるいはストロボの強制発光モードが設定されている場合には、本撮影時のストロボの本発光に先立ってストロボを事前に発光させるプリ発光を実行し、被写体からの反射光量に応じてストロボ本発光時の発光光量を補正するものとする。
【０１２０】
図６は、撮影モードで静止画像の撮影を実行する場合に実行される処理の内容を示すもので、その当初にはその時点で所定のフレームレート、例えば３０［フレーム／秒］で収まるように簡易なＡＦ処理とＡＥ処理を実行し、フレームレートを考慮した高速シャッタ速度によりＣＣＤ３３を連続的に駆動することで、ＣＣＤ３３で撮像されている内容を表示部２１で表示するスルー画像表示の状態を維持しながら（ステップＣ０１）、キー入力部４９のシャッタキー９が半押し操作されたか否かを判断する（ステップＣ０２）、という処理を繰返し実行することで、シャッタキー９が半押し状態となるのを待機する。
【０１２１】
しかして、シャッタキー９が半押し操作されるとステップＣ０２でこれを判断し、あらためてＡＦ処理により被写体までの距離値を正確に測定し、その焦点距離値をロックする（ステップＣ０３）。この自動合焦位置をロックした状態から適正な露光値を得、その露光値から絞り値及びシャッタ速度を設定してロックする（ステップＣ０４）。
【０１２２】
その後、この時点で設定されているストロボモードに応じて撮影時にストロボ発光による補助光の照射を行なうか否かを判断する（ステップＣ０５）。
【０１２３】
これは、設定されているストロボモードが自動発光モードであれば、上記ＡＥ処理でロックした露光値からストロボ発光を必要とする程度のものであるか否か、あるいはストロボモードが強制発光モードに設定されているか否か、あるいはストロボモードが発光禁止モードに設定されていないかどうかにより判断するもので、結果としてストロボ発光による補助光を照射しての撮影を行なうか否か判断し、ストロボ発光を行なわないで撮影を行なうと判断した場合には、本実施の形態とは関連しない通常の撮影動作に移行するものとして、以下その動作についての説明は省略する。
【０１２４】
また、ストロボモードが自動発光モードで露光値がストロボ発光を必要とする程度のものであるか、あるいはストロボモードが強制発光モードに設定されており、結果としてストロボ発光を行なう場合には上記ステップＣ０５でこれを判断し、次にシャッタキー９がさらに全押し操作されたか否か（ステップＣ０６）、まだ半押し操作されているか否か（ステップＣ０７）を繰返し判断することで、上記ＡＦ及びＡＥの各状態をロックしながらシャッタキー９が全押し操作されるか、あるいは半押し操作の状態が解除されるのを待機する。
【０１２５】
ここで、シャッタキー９の半押し操作が解除された場合には、ステップＣ０７でこれを判断し、再び上記ステップＣ０１からの処理に戻る。
【０１２６】
また、上記ＡＦ値及びＡＥ値をロックした状態から、シャッタキー９が全押し操作されると、ステップＣ０６でこれを判断し、一旦ＡＦ処理のロック状態を解き、レンズ光学系３２中のフォーカスレンズをその時点での焦点距離に対応した固定焦点となる位置まで移動させ、併せてＡＥ処理のロックに応じた発光光量でストロボ駆動部５２によりストロボ発光部６をプリ発光させ、これに同期して固定焦点での静止画像の撮影を実行して画像データを得る（ステップＣ０８）。このとき、得た画像データによりストロボ発光部６の発光量に対する反射光量を算出しておく。
【０１２７】
次に、算出した反射光量に応じて上記ＡＥ処理でロックした露光値を補正すると共に、レンズ光学系３２中のフォーカスレンズを上記ステップＣ０３で得たＡＦ処理でのロック位置まで復帰させた上で、ストロボ駆動部５２によりストロボ発光部６を本発光させながらこのＡＦ処理による静止画像の本撮影を実行する（ステップＣ０９）。
【０１２８】
そして、得たＡＦ処理による本発光の静止画像の画像データとその直前の上記ステップＣ０８で固定焦点で得たプリ発光での静止画像のデータとを共にＪＰＥＧ回路４６でデータ圧縮してファイル化し、内蔵メモリ４７またはメモリカード４８に対にして記憶保存し（ステップＣ１０）、以上で一連の撮影に関する処理を終了して、再び次の撮影に備えるべく上記ステップＣ０１からの処理に戻る。
【０１２９】
このように、ストロボ発光部６を用いてストロボ撮影を行なう場合に、そのプリ発光を有効に活用して固定焦点での静止画像を得、その後の本発光時に撮影した、自動合焦による静止画像と対にして記憶保存するものとしたので、ストロボ発光部６の発光駆動を無駄にせず、容量が制限されている電源電池からの電力を無闇に消費するのを回避しながらも、自動合焦機能を動作させて撮影した静止画像が結果として「ピンボケ」あるいは手振れ等の要因により不鮮明なものであった場合でも、その直前にプリ発光を利用して固定焦点で撮影した静止画像は充分に鮮明なものである可能性はきわめて高く、せっかくのシャッタチャンスにピンボケの画像しか得られない事態を回避し、確実に希望する被写体に合焦した静止画像を撮影して記憶することができる。
【０１３０】
（第４の実施の形態）  
以下本発明をデジタルカメラに適用した場合の第４の実施の形態について図面を参照して説明する。
【０１３１】
なお、その外観構成については上記図１と、電子回路の機能構成については上記図２と基本的に同様であるものとし、同一部分には同一符号を用いるものとしてその図示と説明を省略する。
【０１３２】
次に上記実施の形態の動作について説明する。  
なお、このデジタルカメラ１においても、一般的な他のカメラと同様に、シャッタキー９が２段階の操作ストロークを有し、第１段階としてフルストロークの半分程度までの操作、一般に半押しと称される操作状態で自動合焦（ＡＦ）処理と自動露光（ＡＥ）処理とを実行してそれぞれの処理値をロックし、その後、第２段階としてフルストロークの操作、一般に全押しと称される操作状態で、上記ＡＦ値及びＡＥ値による本撮影を実行する、という動作ロジックに基づいた撮影動作を実行するものとする。
【０１３３】
また、後述する固定焦点での撮影(図中では「ＰＦ撮影」と称する）とは、その時点で選択されているズームレンズの焦点距離位置とその時点のＩＳＯ感度設定、及びＡＥ値（光量）から、制御部４２内のＲＯＭに予め固定記憶されているルックアップテーブルよりフォーカスレンズを所定の位置に移動させると共に、絞り（Ｆ）値とシャッタ速度とを読出して設定する、所謂「絞り込み」を行なった撮影を実行することで、実用上遠近ほぼ全域に渡った被写界深度を得るパンフォーカス（ＰＦ）と呼ばれる状態か、あるいはそれに近い一定の大きな被写界深度を得て撮影を行なうことを指す。
【０１３４】
図７は、撮影モードで静止画像の撮影を実行する場合に実行される処理の内容を示すもので、その当初にはその時点で所定のフレームレート、例えば３０［フレーム／秒］で収まるように簡易なＡＦ処理とＡＥ処理を実行し、フレームレートを考慮した高速シャッタ速度によりＣＣＤ３３を連続的に駆動することで、ＣＣＤ３３で撮像されている内容を表示部２１で表示するスルー画像表示の状態を維持しながら（ステップＤ０１）、キー入力部４９のシャッタキー９が半押し操作されたか否かを判断する（ステップＤ０２）、という処理を繰返し実行することで、シャッタキー９が半押し状態となるのを待機する。
【０１３５】
しかして、シャッタキー９が半押し操作されるとステップＤ０２でこれを判断し、まず制御部４２の内部タイマによる計時を開始させると共に（ステップＤ０３）、被写体までの距離値を正確に測定し、その焦点距離値をロックする（ステップＤ０４）。
【０１３６】
併せて、上記自動合焦位置をロックした状態から適正な露光値を得、その露光値から絞り値及びシャッタ速度を設定してロックした上で（ステップＤ０５）、シャッタキー９がさらに全押し操作されたか否か（ステップＤ０６）、まだ半押し操作されているか否か（ステップＤ０７）を繰返し判断することで、ＡＦ及びＡＥの各状態をロックしながらシャッタキー９が全押し操作されるか、あるいは半押し操作の状態が解除されるのを待機する。
【０１３７】
ここで、シャッタキー９の半押し操作が解除された場合には、ステップＤ０７でこれを判断し、本撮影には至らなかったものとして再び上記ステップＤ０１からの処理に戻る。
【０１３８】
また、上記ＡＦ値及びＡＥ値をロックした状態から、シャッタキー９が全押し操作されると、ステップＤ０６でこれを判断し、その時点での制御部４２の内部タイマの計時値が所定値、例えば「０．５［秒］」未満であるか否かにより、シャッタキー９が一気に全押し操作されか否かを判断する（ステップＤ０８）。
【０１３９】
ここで、制御部４２の内部タイマの計時値が所定値未満であり、シャッタキー９が一気に全押し操作されたと判断した場合にのみ、一時的に上記ＡＦのロック状態を解除し、その時点のレンズ光学系３２のズームレンズ位置に応じてフォーカスレンズ位置を移動させると共にロックしたＡＥ値により絞込み設定を行なって、一定の大きな被写界深度が得られる固定焦点での撮影を実行し、得た画像をＤＲＡＭ４１に保持しておく（ステップＤ０９）。
【０１４０】
その後、上記ステップＤ０９での固定焦点での撮影の有無に拘わらず、上記ＡＦ処理とＡＥ処理による撮影条件をロックしたままの状態で静止画像の撮影を実行して画像データを得る（ステップＤ１０）。
【０１４１】
次いで、ＤＲＡＭ４１に固定焦点で再生した静止画像の画像データが保持されているか否か判断し（ステップＤ１１）、保持されていなければ、自動合焦により撮影した静止画像の画像データのみをＪＰＥＧ回路４６でデータ圧縮してファイル化し、内蔵メモリ４７またはメモリカード４８に記憶保存し（ステップＤ１３）、以上で一連の撮影に関する処理を終了して、再び次の撮影に備えるべく上記ステップＤ０１からの処理に戻る。
【０１４２】
一方で、上記ステップＤ１１で固定焦点で再生した静止画像の画像データがＤＲＡＭ４１に保持されていると判断した場合には、自動合焦により得た静止画像のデータと上記ステップＤ０９で固定焦点で得た静止画像のデータとを共にＪＰＥＧ回路４６でデータ圧縮してファイル化し、内蔵メモリ４７またはメモリカード４８に対にして記憶保存し（ステップＤ１２）、以上で一連の撮影に関する処理を終了して、再び次の撮影に備えるべく上記ステップＤ０１からの処理に戻る。
【０１４３】
このように、適正な時間を設定してシャッタキー９の操作に要する時間を判断することで、急いでシャッタキー９を全押しした場合を検出して、固定焦点での静止画像と自動合焦での静止画像とを得るようにしたため、自動合焦機能を動作させて撮影した静止画像が結果として「ピンボケ」あるいは手振れ等の要因により不鮮明なものであった場合でも、その直前に固定焦点で撮影した静止画像は充分に鮮明なものである可能性はきわめて高く、せっかくのシャッタチャンスにピンボケの画像しか得られない事態を回避し、確実に希望する被写体に合焦した静止画像を撮影して記憶することができる。
【０１４４】
（第５の実施の形態）  
以下本発明をデジタルカメラに適用した場合の第５の実施の形態について図面を参照して説明する。
【０１４５】
なお、その外観構成については上記図１と、電子回路の機能構成については上記図２と基本的に同様であるものとし、同一部分には同一符号を用いるものとしてその図示と説明を省略する。
【０１４６】
次に上記実施の形態の動作について説明する。  
なお、このデジタルカメラ１においても、一般的な他のカメラと同様に、シャッタキー９が２段階の操作ストロークを有し、第１段階としてフルストロークの半分程度までの操作、一般に半押しと称される操作状態で自動合焦（ＡＦ）処理と自動露光（ＡＥ）処理とを実行してそれぞれの処理値をロックし、その後、第２段階としてフルストロークの操作、一般に全押しと称される操作状態で、上記ＡＦ値及びＡＥ値による本撮影を実行する、という動作ロジックに基づいた撮影動作を実行するものとする。
【０１４７】
また、後述する固定焦点での撮影(図中では「ＰＦ撮影」と称する）とは、その時点で選択されているズームレンズの焦点距離位置とその時点のＩＳＯ感度設定、及びＡＥ値（光量）から、制御部４２内のＲＯＭに予め固定記憶されているルックアップテーブルよりフォーカスレンズを所定の位置に移動させると共に、絞り（Ｆ）値とシャッタ速度とを読出して設定する、所謂「絞り込み」を行なった撮影を実行することで、実用上遠近ほぼ全域に渡った被写界深度を得るパンフォーカス（ＰＦ）と呼ばれる状態か、あるいはそれに近い一定の大きな被写界深度を得て撮影を行なうことを指す。
【０１４８】
図８は、撮影モードで静止画像の撮影を実行する場合に実行される処理の内容を示すもので、その当初にはその時点で所定のフレームレート、例えば３０［フレーム／秒］で収まるように簡易なＡＦ処理とＡＥ処理を実行し、フレームレートを考慮した高速シャッタ速度によりＣＣＤ３３を連続的に駆動することで、ＣＣＤ３３で撮像されている内容を表示部２１で表示するスルー画像表示の状態を維持しながら（ステップＥ０１）、キー入力部４９のシャッタキー９が半押し操作されたか否かを判断する（ステップＥ０２）、という処理を繰返し実行することで、シャッタキー９が半押し状態となるのを待機する。
【０１４９】
しかして、シャッタキー９が半押し操作されるとステップＥ０２でこれを判断し、被写体までの距離値を正確に測定し、その焦点距離値をロックする（ステップＥ０３）。
【０１５０】
併せて、上記自動合焦位置をロックした状態から適正な露光値を得、その露光値から絞り値及びシャッタ速度を設定してロックした上で（ステップＥ０４）、シャッタキー９がさらに全押し操作されたか否か（ステップＥ０５）、まだ半押し操作されているか否か（ステップＥ０６）を繰返し判断することで、ＡＦ及びＡＥの各状態をロックしながらシャッタキー９が全押し操作されるか、あるいは半押し操作の状態が解除されるのを待機する。
【０１５１】
ここで、シャッタキー９の半押し操作が解除された場合には、ステップＥ０６でこれを判断し、本撮影には至らなかったものとして再び上記ステップＥ０１からの処理に戻る。
【０１５２】
また、上記ＡＦ値及びＡＥ値をそれぞれロックした状態から、シャッタキー９が全押し操作されると、ステップＥ０５でこれを判断し、その時点での加速度センサ５１の出力レベルを検知して、その値が予め手振れが生じたと判断できる一定値以上であるか否かにより、シャッタキー９の全押し操作による手振れの可能性があるか否かを判断する（ステップＥ０７）。
【０１５３】
ここで、加速度センサ５１の出力レベルが一定値以上であり、手振れの可能性があると判断した場合にのみ、一時的に上記ＡＦのロック状態を解除し、その時点のレンズ光学系３２のズームレンズ位置に応じてフォーカスレンズ位置を移動させると共にロックしたＡＥ値により絞込み設定を行なって、一定の大きな被写界深度が得られる固定焦点での撮影を実行し、得た画像をＤＲＡＭ４１に保持しておく（ステップＥ０８）。
【０１５４】
その後、上記ステップＥ０８での固定焦点での撮影の有無に拘わらず、上記ＡＦ処理とＡＥ処理による撮影条件をロックしたままの状態で静止画像の撮影を実行して画像データを得る（ステップＥ０９）。
【０１５５】
次いで、ＤＲＡＭ４１に固定焦点で再生した静止画像の画像データが保持されているか否か判断し（ステップＥ１０）、保持されていなければ、自動合焦により撮影した静止画像の画像データのみをＪＰＥＧ回路４６でデータ圧縮してファイル化し、内蔵メモリ４７またはメモリカード４８に記憶保存し（ステップＥ１２）、以上で一連の撮影に関する処理を終了して、再び次の撮影に備えるべく上記ステップＥ０１からの処理に戻る。
【０１５６】
一方で、上記ステップＥ１０で固定焦点で再生した静止画像の画像データがＤＲＡＭ４１に保持されていると判断した場合には、自動合焦により得た静止画像のデータと上記ステップＥ０９で固定焦点で得た静止画像のデータとを共にＪＰＥＧ回路４６でデータ圧縮してファイル化し、内蔵メモリ４７またはメモリカード４８に対にして記憶保存し（ステップＥ１１）、以上で一連の撮影に関する処理を終了して、再び次の撮影に備えるべく上記ステップＥ０１からの処理に戻る。
【０１５７】
このように、加速度センサ５１の出力レベルにより手振れの発生を検出した場合には、固定焦点での静止画像と自動合焦での静止画像とを得るようにしたので、自動焦点での静止画像に手振れが生じている場合でも固定焦点での静止画像はその影響を免れている可能性があり、撮影の失敗を帳消しにして、確実に希望する被写体に合焦した静止画像を撮影して記憶することができる。
【０１５８】
なお、上記実施の形態では、手振れ状態の検知を加速度センサ５１を用いて行なうものとして説明したが、本発明はこれに限るものではなく、他にジャイロセンサ等のセンサを用いるものとしてもよい。
【０１５９】
（第６の実施の形態）  
以下本発明をデジタルカメラに適用した場合の第６の実施の形態について図面を参照して説明する。
【０１６０】
なお、その外観構成については上記図１と、電子回路の機能構成については上記図２と基本的に同様であるものとし、同一部分には同一符号を用いるものとしてその図示と説明を省略する。
【０１６１】
次に上記実施の形態の動作について説明する。  
なお、このデジタルカメラ１においても、一般的な他のカメラと同様に、シャッタキー９が２段階の操作ストロークを有し、第１段階としてフルストロークの半分程度までの操作、一般に半押しと称される操作状態で自動合焦（ＡＦ）処理と自動露光（ＡＥ）処理とを実行してそれぞれの処理値をロックし、その後、第２段階としてフルストロークの操作、一般に全押しと称される操作状態で、上記ＡＦ値及びＡＥ値による本撮影を実行する、という動作ロジックに基づいた撮影動作を実行するものとする。
【０１６２】
また、後述する固定焦点での撮影(図中では「ＰＦ撮影」と称する）とは、その時点で選択されているズームレンズの焦点距離位置とその時点のＩＳＯ感度設定、及びＡＥ値（光量）から、制御部４２内のＲＯＭに予め固定記憶されているルックアップテーブルよりフォーカスレンズを所定の位置に移動させると共に、絞り（Ｆ）値とシャッタ速度とを読出して設定する、所謂「絞り込み」を行なった撮影を実行することで、実用上遠近ほぼ全域に渡った被写界深度を得るパンフォーカス（ＰＦ）と呼ばれる状態か、あるいはそれに近い一定の大きな被写界深度を得て撮影を行なうことを指す。
【０１６３】
さらに、このデジタルカメラ１でストロボの発光に伴う撮影を行なう場合、すなわちストロボの自動発光モードが設定されており且つストロボの発光なしでは被写体の照度が充分得られない場合、あるいはストロボの強制発光モードが設定されている場合には、本撮影時のストロボの本発光に先立ってストロボを事前に発光させるプリ発光を実行し、被写体からの反射光量に応じてストロボ本発光時の発光光量を補正するものとする。
【０１６４】
また、この撮影モード時においては、ストロボの上記プリ発光と同時に固定焦点での撮影を行なうか、またはプリ発光の事前に（ストロボ発光なしで）固定焦点での撮影を行なうかを予めユーザにより選択設定しておくものとする。
【０１６５】
図９は、撮影モードで静止画像の撮影を実行する場合に実行される処理の内容を示すもので、その当初にはその時点で所定のフレームレート、例えば３０［フレーム／秒］で収まるように簡易なＡＦ処理とＡＥ処理を実行し、フレームレートを考慮した高速シャッタ速度によりＣＣＤ３３を連続的に駆動することで、ＣＣＤ３３で撮像されている内容を表示部２１で表示するスルー画像表示の状態を維持しながら（ステップＦ０１）、キー入力部４９のシャッタキー９が半押し操作されたか否かを判断する（ステップＦ０２）、という処理を繰返し実行することで、シャッタキー９が半押し状態となるのを待機する。
【０１６６】
しかして、シャッタキー９が半押し操作されるとステップＦ０２でこれを判断し、あらためてＡＦ処理により被写体までの距離値を正確に測定し、その焦点距離値をロックする（ステップＦ０３）。この自動合焦位置をロックした状態から適正な露光値を得、その露光値から絞り値及びシャッタ速度を設定してロックする（ステップＦ０４）。
【０１６７】
その後、この時点で設定されているストロボモードに応じて撮影時にストロボ発光による補助光の照射を行なうか否かを判断する（ステップＦ０５）。
【０１６８】
これは、設定されているストロボモードが自動発光モードであれば、上記ＡＥ処理でロックした露光値からストロボ発光を必要とする程度のものであるか否か、あるいはストロボモードが強制発光モードに設定されているか否か、あるいはストロボモードが発光禁止モードに設定されていないかどうかにより判断するもので、結果としてストロボ発光による補助光を照射しての撮影を行なうか否か判断し、ストロボ発光を行なわないで撮影を行なうと判断した場合には、本実施の形態とは関連しない通常の撮影動作に移行するものとして、以下その動作についての説明は省略する。
【０１６９】
また、ストロボモードが自動発光モードで露光値がストロボ発光を必要とする程度のものであるか、あるいはストロボモードが強制発光モードに設定されており、結果としてストロボ発光を行なう場合には上記ステップＦ０５でこれを判断し、次にシャッタキー９がさらに全押し操作されたか否か（ステップＦ０６）、まだ半押し操作されているか否か（ステップＦ０７）を繰返し判断することで、上記ＡＦ及びＡＥの各状態をロックしながらシャッタキー９が全押し操作されるか、あるいは半押し操作の状態が解除されるのを待機する。
【０１７０】
ここで、シャッタキー９の半押し操作が解除された場合には、ステップＦ０７でこれを判断し、再び上記ステップＦ０１からの処理に戻る。
【０１７１】
また、上記ＡＦ値及びＡＥ値をロックした状態から、シャッタキー９が全押し操作されると、ステップＦ０６でこれを判断し、次にストロボ発光部６のプリ発光時に同時に固定焦点での静止画像の撮影を行なう選択設定がなされているか否かを判断する（ステップＦ０８）。
【０１７２】
ここで、プリ発光時に同時に行なうとの選択設定がなされていると判断した場合には、一旦ＡＦ処理のロック状態を解き、レンズ光学系３２中のフォーカスレンズをその時点での焦点距離に対応した固定焦点となる位置まで移動させ、併せてＡＥ処理のロックに応じた発光光量でストロボ駆動部５２によりストロボ発光部６をプリ発光させ、これに同期して固定焦点での静止画像の撮影を実行して画像データを得る（ステップＦ０９）。このとき、得た画像データによりストロボ発光部６の発光量に対する反射光量を算出しておく。
【０１７３】
また、上記ステップＦ０８でプリ発光時と同時には撮影を行なわないとの選択設定がなされていると判断した場合には、一旦ＡＦ処理のロック状態を解き、レンズ光学系３２中のフォーカスレンズをその時点での焦点距離に対応した固定焦点となる位置まで移動させ、併せてＡＥ処理のロックに応じてストロボ発光部６でのプリ発光はさせずに固定焦点での撮影を実行して画像データを得、得た画像データをＤＲＡＭ４１に保持させる（ステップＦ１０）。
【０１７４】
その後、続けてストロボ駆動部５２によりストロボ発光部６をプリ発光させ、その発光量に対する反射光量を算出しておく（ステップＦ１１）。
【０１７５】
上記ステップＦ０９またはＦ１１の処理後、プリ発光により算出した反射光量に応じて上記ＡＥ処理でロックした露光値を補正すると共に、レンズ光学系３２中のフォーカスレンズを上記ステップＦ０３で得たＡＦ処理でのロック位置まで復帰させた上で、ストロボ駆動部５２によりストロボ発光部６を本発光させながらこのＡＦ処理による静止画像の本撮影を実行する（ステップＦ１２）。
【０１７６】
そして、得たＡＦ処理による本発光の静止画像の画像データとその直前の上記ステップＦ０９またはＦ１０で固定焦点で得た静止画像のデータとを共にＪＰＥＧ回路４６でデータ圧縮してファイル化し、内蔵メモリ４７またはメモリカード４８に対にして記憶保存し（ステップＦ１３）、以上で一連の撮影に関する処理を終了して、再び次の撮影に備えるべく上記ステップＦ０１からの処理に戻る。
【０１７７】
このように、ストロボ発光部６を用いてストロボ撮影を行なう場合に、ユーザの選択設定に応じ、プリ発光時またはプリ発光時を外して固定焦点での撮影を実行させ、プリ発光後の本発光時に撮影した、自動合焦による静止画像と対にして記憶保存するものとしたので、自動合焦機能を動作させて撮影した静止画像が結果として「ピンボケ」あるいは手振れ等の要因により不鮮明なものであった場合でも、その直前にプリ発光を利用して固定焦点で撮影した静止画像は充分に鮮明なものである可能性はきわめて高く、せっかくのシャッタチャンスにピンボケの画像しか得られない事態を回避し、確実に希望する被写体に合焦した静止画像を撮影して記憶することができる。
【０１７８】
加えて、固定焦点の静止画像の撮影は、ユーザの選択設定によりプリ発光時またはプリ発光時を外して実行するものとしたので、ユーザの意図を正確に反映して固定焦点の静止画像を得ることができる。
【０１７９】
（第７の実施の形態）  
以下本発明をデジタルカメラに適用した場合の第７の実施の形態について図面を参照して説明する。
【０１８０】
なお、その外観構成については上記図１と、電子回路の機能構成については上記図２と基本的に同様であるものとし、同一部分には同一符号を用いるものとしてその図示と説明を省略する。
【０１８１】
次に上記実施の形態の動作について説明する。  
なお、このデジタルカメラ１においても、一般的な他のカメラと同様に、シャッタキー９が２段階の操作ストロークを有し、第１段階としてフルストロークの半分程度までの操作、一般に半押しと称される操作状態で自動合焦（ＡＦ）処理と自動露光（ＡＥ）処理とを実行してそれぞれの処理値をロックし、その後、第２段階としてフルストロークの操作、一般に全押しと称される操作状態で、上記ＡＦ値及びＡＥ値による本撮影を実行する、という動作ロジックに基づいた撮影動作を実行するものとする。
【０１８２】
また、後述する固定焦点での撮影(図中では「ＰＦ撮影」と称する）とは、その時点で選択されているズームレンズの焦点距離位置とその時点のＩＳＯ感度設定、及びＡＥ値（光量）から、制御部４２内のＲＯＭに予め固定記憶されているルックアップテーブルよりフォーカスレンズを所定の位置に移動させると共に、絞り（Ｆ）値とシャッタ速度とを読出して設定する、所謂「絞り込み」を行なった撮影を実行することで、実用上遠近ほぼ全域に渡った被写界深度を得るパンフォーカス（ＰＦ）と呼ばれる状態か、あるいはそれに近い一定の大きな被写界深度を得て撮影を行なうことを指す。
【０１８３】
さらに、このデジタルカメラ１では、上記固定焦点での静止画像の撮影、固定焦点での静止画像の撮影に加えて、任意の設定距離値に合焦するマニュアルフォーカス（図では「ＭＦ」と称する）による静止画像の撮影も可能であるものとし、ユーザがこのマニュアルフォーカスによる撮影を指定している場合には、レンズ光学系３２で合焦可能な最短撮影距離から無限園までの範囲内で設定した合焦距離値に基づいた静止画像の撮影が実行されるものとする。
【０１８４】
図１０は、撮影モードで静止画像の撮影を実行する場合に実行される処理の内容を示すもので、その当初にはその時点で所定のフレームレート、例えば３０［フレーム／秒］で収まるように簡易なＡＦ処理とＡＥ処理を実行し、フレームレートを考慮した高速シャッタ速度によりＣＣＤ３３を連続的に駆動することで、ＣＣＤ３３で撮像されている内容を表示部２１で表示するスルー画像表示の状態を維持しながら（ステップＧ０１）、キー入力部４９のシャッタキー９が半押し操作されたか否かを判断する（ステップＧ０２）、という処理を繰返し実行することで、シャッタキー９が半押し状態となるのを待機する。
【０１８５】
しかして、シャッタキー９が半押し操作されるとステップＧ０２でこれを判断し、あらためてＡＦ処理により被写体までの距離値を正確に測定し、その焦点距離値をロックする（ステップＧ０３）。この自動合焦位置をロックした状態から適正な露光値を得、その露光値から絞り値及びシャッタ速度を設定してロックする（ステップＧ０４）。
【０１８６】
その後、シャッタキー９がさらに全押し操作されたか否か（ステップＧ０５）、まだ半押し操作されているか否か（ステップＧ０６）を繰返し判断することで、上記ＡＦ及びＡＥの各状態をロックしながらシャッタキー９が全押し操作されるか、あるいは半押し操作の状態が解除されるのを待機する。
【０１８７】
ここで、シャッタキー９の半押し操作が解除された場合には、ステップＧ０６でこれを判断し、再び上記ステップＧ０１からの処理に戻る。
【０１８８】
また、上記ＡＦ値及びＡＥ値をロックした状態から、シャッタキー９が全押し操作されると、ステップＧ０６でこれを判断し、次にマニュアルフォーカスの指定が事前になされているか否かを判断する（ステップＧ０７）。
【０１８９】
ここでマニュアルフォーカスの指定がなされていると判断した場合にのみ、一旦ＡＦ処理のロック状態を解き、レンズ光学系３２中のフォーカスレンズを指定されているマニュアルフォーカスの合焦位置まで移動させた上で静止画像の撮影を実行して画像データを得、得た画像データをＤＲＡＭ４１に保持する（ステップＧ０８）。
【０１９０】
その後、今度はレンズ光学系３２中のフォーカスレンズをその時点での焦点距離に対応した固定焦点となる位置まで移動させて、固定焦点での静止画像の撮影を実行して画像データを得、得た画像データをＤＲＡＭ４１に保持する（ステップＧ０９）。
【０１９１】
さらに、続けてレンズ光学系３２中のフォーカスレンズを上記ステップＧ０３で得たＡＦ処理でのロック位置まで復帰させた上で、このＡＦ処理による静止画像の本撮影を実行する（ステップＧ１０）。
【０１９２】
以上、得たＡＦ処理による静止画像の画像データとその直前の上記ステップＧ０９での固定焦点で得た静止画像のデータ、及び上記ステップＧ０８でマニュアルフォーカスでの静止画像の撮影を行なった場合はその画像データを共にＪＰＥＧ回路４６でデータ圧縮してファイル化し、内蔵メモリ４７またはメモリカード４８に組にして記憶保存し（ステップＧ１１）、これをもって一連の撮影に関する処理を終了し、再び次の撮影に備えるべく上記ステップＧ０１からの処理に戻る。
【０１９３】
このように、ユーザの指定する無限遠を含むマニュアルフォーカスの設定を活かし、指定している場合はマニュアルフォーカス位置での静止画像の撮影と固定焦点での静止画像の撮影を、自動合焦による静止画像の撮影に先立って実行し、それらの画像データを組であるものとして記憶保存するものとしたので、自動合焦機能を動作させて撮影した静止画像が結果として「ピンボケ」あるいは手振れ等の要因により不鮮明なものであった場合でも、その直前にユーザがマニュアルフォーカス設定で撮影した静止画像、及び固定焦点で撮影した静止画像は充分に鮮明なものである可能性はきわめて高く、せっかくのシャッタチャンスにピンボケの画像しか得られない事態を回避し、ユーザの撮影意図を正確に反映した静止画像を撮影して記憶することができる。
【０１９４】
なお、上記実施の形態では、ユーザのマニュアルフォーカス設定がある場合にそのマニュアルフォーカスによる静止画像と、固定焦点での静止画像、及び自動合焦による静止画像の最大計３枚の静止画像の画像データを撮影し、組にして記憶するものとして説明したが、本発明はこれに限らず、固定焦点での静止画像に代えてマニュアルフォーカスで設定した合焦位置の静止画像を撮影し、自動合焦により得た静止画像の画像データと合わせて対にし、それらの画像データを記憶させるものとしてもよい。
【０１９５】
また、上記ステップＧ０９での固定焦点の撮影とステップＧ１０のＡＦ撮影の順番は逆であってもよい。
【０１９６】
（第８の実施の形態）  
以下本発明をデジタルカメラに適用した場合の第８の実施の形態について図面を参照して説明する。
【０１９７】
なお、その外観構成については上記図１と、電子回路の機能構成については上記図２と基本的に同様であるものとし、同一部分には同一符号を用いるものとしてその図示と説明を省略する。
【０１９８】
次に上記実施の形態の動作について説明する。  
なお、このデジタルカメラ１においても、一般的な他のカメラと同様に、シャッタキー９が２段階の操作ストロークを有し、第１段階としてフルストロークの半分程度までの操作、一般に半押しと称される操作状態で自動合焦（ＡＦ）処理と自動露光（ＡＥ）処理とを実行してそれぞれの処理値をロックし、その後、第２段階としてフルストロークの操作、一般に全押しと称される操作状態で、上記ＡＦ値及びＡＥ値による本撮影を実行する、という動作ロジックに基づいた撮影動作を実行するものとする。
【０１９９】
また、後述するブラケティングでの撮影とは、デジタルカメラにおける露出値を始めとして種々の撮影条件、例えば合焦位置、ホワイトバランス、彩度、シャープネス、コントラスト等のうちの１つを選択し、その可変ステップ幅及び合計撮影枚数を指定することで、段階的に撮影条件の異なる静止画像を連続して撮影するものである。
【０２００】
例えば、従来よりオートブラケットとも称されているように代表的なブラケティング機能を実行する撮影条件として露出値を指定した場合、例えば可変ステップ幅を「１／２［ＥＶ］」、合計撮影枚数を「５」枚とすれば、ＡＥ処理で得る適正露出値を「０（ゼロ）［ＥＶ］」として「−１．０［ＥＶ］」「−０．５［ＥＶ］」「０［ＥＶ］」「＋０．５［ＥＶ］」「＋１．０［ＥＶ］」の計５段階に露出補正した静止画像を連続して撮影するようになるものである。
【０２０１】
しかるに本実施の形態では、ユーザが必要により任意に撮影条件を指定し、その可変ステップ幅と合計撮影枚数を指定することで、連続した撮影枚数だけ段階的に撮影条件を代えながら静止画像を撮影するブラケティング撮影を行なうものとする。
【０２０２】
図１１は、撮影モードで静止画像の撮影を実行する場合に実行される処理の内容を示すもので、その当初にはその時点で所定のフレームレート、例えば３０［フレーム／秒］で収まるように簡易なＡＦ処理とＡＥ処理を実行し、フレームレートを考慮した高速シャッタ速度によりＣＣＤ３３を連続的に駆動することで、ＣＣＤ３３で撮像されている内容を表示部２１で表示するスルー画像表示の状態を維持しながら（ステップＨ０１）、キー入力部４９のシャッタキー９が半押し操作されたか否かを判断する（ステップＨ０２）、という処理を繰返し実行することで、シャッタキー９が半押し状態となるのを待機する。
【０２０３】
しかして、シャッタキー９が半押し操作されるとステップＨ０２でこれを判断し、あらためてＡＦ処理により被写体までの距離値を正確に測定し、その焦点距離値をロックする（ステップＨ０３）。この自動合焦位置をロックした状態から適正な露光値を得、その露光値から絞り値及びシャッタ速度を設定してロックする（ステップＨ０４）。
【０２０４】
その後、シャッタキー９がさらに全押し操作されたか否か（ステップＨ０５）、まだ半押し操作されているか否か（ステップＨ０６）を繰返し判断することで、上記ＡＦ及びＡＥの各状態をロックしながらシャッタキー９が全押し操作されるか、あるいは半押し操作の状態が解除されるのを待機する。
【０２０５】
ここで、シャッタキー９の半押し操作が解除された場合には、ステップＨ０６でこれを判断し、再び上記ステップＨ０１からの処理に戻る。
【０２０６】
また、上記ＡＦ値及びＡＥ値をロックした状態から、シャッタキー９が全押し操作されると、ステップＨ０６でこれを判断し、直ちに上記ＡＦ及びＡＥの各状態をロックした状態から静止画像の撮影を実行し、得た画像データをＤＲＡＭ４１に保持する（ステップＨ０７）。
【０２０７】
次いで、ユーザによるブラケティングの指定が事前になされているか否かを判断し（ステップＨ０８）、なされていると判断した場合にのみ、指定されたブラケティング内容で段階的に撮影条件の異なる静止画像を連続して撮影し、得た画像データをいずれもＤＲＡＭ４１に保持する（ステップＨ０９）。
【０２０８】
その後、全ての撮影を終えたものとしてＤＲＡＭ４１に保持している全ての静止画像の画像データを共にＪＰＥＧ回路４６でデータ圧縮してファイル化し、内蔵メモリ４７またはメモリカード４８に必要により組にして記憶保存し（ステップＨ１０）、これをもって一連の撮影に関する処理を終了し、再び次の撮影に備えるべく上記ステップＨ０１からの処理に戻る。
【０２０９】
このように、必要に応じてユーザが設定したブラケティングの内容での撮影を自動合焦による撮影と併用して実行し、それらの画像データを組であるものとして記憶保存するものとしたので、自動合焦機能を動作させて撮影した静止画像が結果として「ピンボケ」あるいはユーザの撮影意図とは異なる内容であっても、ユーザの撮影意図に適合する静止画像をより高い確率で得ることができる。
【０２１０】
（第９の実施の形態）  
以下本発明をデジタルカメラに適用した場合の第９の実施の形態について図面を参照して説明する。
【０２１１】
なお、その外観構成については上記図１と、電子回路の機能構成については上記図２と基本的に同様であるものとし、同一部分には同一符号を用いるものとしてその図示と説明を省略する。
【０２１２】
次に上記実施の形態の動作について説明する。  
なお、このデジタルカメラ１においても、一般的な他のカメラと同様に、シャッタキー９が２段階の操作ストロークを有し、第１段階としてフルストロークの半分程度までの操作、一般に半押しと称される操作状態で自動合焦（ＡＦ）処理と自動露光（ＡＥ）処理とを実行してそれぞれの処理値をロックし、その後、第２段階としてフルストロークの操作、一般に全押しと称される操作状態で、上記ＡＦ値及びＡＥ値による本撮影を実行する、という動作ロジックに基づいた撮影動作を実行するものとする。
【０２１３】
また、後述する固定焦点での撮影(図中では「ＰＦ撮影」と称する）とは、その時点で選択されているズームレンズの焦点距離位置とその時点のＩＳＯ感度設定、及びＡＥ値（光量）から、制御部４２内のＲＯＭに予め固定記憶されているルックアップテーブルよりフォーカスレンズを所定の位置に移動させると共に、絞り（Ｆ）値とシャッタ速度とを読出して設定する、所謂「絞り込み」を行なった撮影を実行することで、実用上遠近ほぼ全域に渡った被写界深度を得るパンフォーカス（ＰＦ）と呼ばれる状態か、あるいはそれに近い一定の大きな被写界深度を得て撮影を行なうことを指す。
【０２１４】
さらに、後述するシーンプログラム撮影とは、撮影モード時において、予め撮影条件の設定がプログラムされた複数種類の中から１つを選択することで、自動的にその撮影シーンに最適な設定での撮影が実行できるようになるもので、例えば「人物」「風景」「風景と人物」「人物のアップ」「人物のバストアップ」「ツーショット」「子供」「キャンドルライトと人物」「パーティー」「ペット」「花のアップ」「鮮やかな緑」「紅葉」「滑らかな水の流れ」「止まった水しぶき」「建物」「街並み」「青空」「明るい砂浜、海」「夕日」「夜景」「夜景と人物」「花火」「食べ物」「文字」等から１つを選択することとなる。
【０２１５】
具体的な撮影条件の設定内容としては、例えば「鮮やかな緑」であればシャープネスがハード、彩度が高め、色強調が緑に設定され、あるいは「キャンドルライトと人物」であればシャープネスがソフト、ホワイトバランスが太陽光、シャッタ速度が遅め、ストロボモードが赤目軽減に設定されることになる。
【０２１６】
これらシーンプログラム撮影の選択内容によっては、「子供」「ペット」「止まった水しぶき」など被写体に動きのあるものや、「キャンドルライトと人物」「パーティー」「夜景」など照度が不足することが予想されるものなど、自動合焦動作が困難となり、撮影を失敗してしまう可能性が高いものも多い。
【０２１７】
そのため、選択されたシーンプログラム撮影の内容に対応して、自動合焦機能での撮影に加えて、必要により固定焦点での撮影も自動的に併用するものとする。
【０２１８】
図１２は、撮影モードでなんらかのシーンプログラム撮影を選択して静止画像の撮影を実行する場合に実行される処理の内容を示すもので、その当初にはその時点で所定のフレームレート、例えば３０［フレーム／秒］で収まるように簡易なＡＦ処理とＡＥ処理を実行し、フレームレートを考慮した高速シャッタ速度によりＣＣＤ３３を連続的に駆動することで、ＣＣＤ３３で撮像されている内容を表示部２１で表示するスルー画像表示の状態を維持しながら（ステップＩ０１）、キー入力部４９のシャッタキー９が半押し操作されたか否かを判断する（ステップＩ０２）、という処理を繰返し実行することで、シャッタキー９が半押し状態となるのを待機する。
【０２１９】
しかして、シャッタキー９が半押し操作されるとステップＩ０２でこれを判断し、必要によりＡＦ処理により被写体までの距離値を正確に測定し、その焦点距離値をロックする（ステップＩ０３）。この自動合焦位置をロックした状態から適正な露光値を得、その露光値から必要に応じて絞り値及びシャッタ速度を設定してロックする（ステップＩ０４）。
【０２２０】
なお、図中に「＊１」「＊２」で示すように上記ＡＦ処理及びＡＥ処理はいずれもその時点で選択されているシーンプログラム撮影の内容に準じて必要により実行するものであり、例えば「風景」が選択されている場合には合焦位置が無条件に無限遠に設定され、あるいは「明るい砂浜、海」ではプラス側に露出補正がなされるなど、一部ＡＦ処理、ＡＥ処理をあえて実行しないか、実行してもその結果を補正するような場合も含む。
【０２２１】
その後、シャッタキー９がさらに全押し操作されたか否か（ステップＩ０５）、まだ半押し操作されているか否か（ステップＩ０６）を繰返し判断することで、上記ＡＦ及びＡＥの各状態をロックしながらシャッタキー９が全押し操作されるか、あるいは半押し操作の状態が解除されるのを待機する。
【０２２２】
ここで、シャッタキー９の半押し操作が解除された場合には、ステップＩ０６でこれを判断し、再び上記ステップＩ０１からの処理に戻る。
【０２２３】
また、上記ＡＦ値及びＡＥ値をロックした状態から、シャッタキー９が全押し操作されると、ステップＩ０６でこれを判断し、次にその時点で選択されているシーンプログラム撮影が固定焦点での撮影も併用する特定のものであるか否かを判断する（ステップＩ０７）。
【０２２４】
ここで、特定のシーンプログラム撮影が選択されていると判断した場合には、その選択された撮影条件の設定内容に従って静止画像の撮影を実行し、得た画像データをＤＲＡＭ４１に保持すると共に（ステップＩ０８）、続けてその時点で選択されているレンズ光学系３２のズームレンズ位置に対応して同レンズ光学系３２のフォーカスレンズの位置を適宜移動させて固定焦点での静止画像の撮影も実行し、得た画像データをＤＲＡＭ４１に保持させる（ステップＩ０９）。
【０２２５】
この固定焦点での撮影を行なう場合に、完全なパンフォーカス効果が得られない場合に限っては、レンズ光学系３２のズームレンズの位置だけでなく、その時点で選択されているシーンプログラム撮影の内容を勘案してフォーカスレンズの位置を移動させ、例えば「風景」や「夜景」等ではより無限遠側に近く、反対に「ペット」「花のアップ」等ではより最短撮影距離側に近くするというように、対象としている被写体との距離に応じて合焦する範囲を前後に移動設定するものとしてもよい。
【０２２６】
その後、シャッタキー９操作に対応した撮影を終えたものとしてＤＲＡＭ４１に保持している２つの静止画像の画像データを共にＪＰＥＧ回路４６でデータ圧縮してファイル化し、内蔵メモリ４７またはメモリカード４８に組にして記憶保存し（ステップＩ１０）、これをもって一連の撮影に関する処理を終了して、再び次の撮影に備えるべく上記ステップＩ０１からの処理に戻る。
【０２２７】
また、上記ステップＩ０７でその時点で選択されているシーンプログラム撮影が固定焦点での撮影も併用する特定のものではないと判断した場合には、その選択された撮影条件の設定内容に従って静止画像の撮影を実行し、得た画像データをＤＲＡＭ４１に保持すると（ステップＩ１１）、直ちにシャッタキー９操作に対応した撮影を終えたものとしてＤＲＡＭ４１に保持しているその静止画像の画像データをＪＰＥＧ回路４６でデータ圧縮してファイル化し、内蔵メモリ４７またはメモリカード４８に単独で記憶保存し（ステップＩ１２）、これをもって一連の撮影に関する処理を終了して、再び次の撮影に備えるべく上記ステップＩ０１からの処理に戻る。
【０２２８】
このように、予め用意された複数のシーンプログラム撮影の中から選択された内容に応じて、必要と考えられる場合には固定焦点での静止画像も併せて撮影するものとしたので、自動合焦による静止画像のピントが外れていた場合でも必要により得た固定焦点での静止画像のピントが合っている可能性は高く、装置や回路の規模を特に大型化、複雑化せずとも、希望する被写体に合焦した静止画像を高い確率で撮影して記憶することができる。
【０２２９】
（第１０の実施の形態）  
以下本発明をデジタルカメラに適用した場合の第１０の実施の形態について図面を参照して説明する。
【０２３０】
なお、その外観構成については上記図１と、電子回路の機能構成については上記図２と基本的に同様であるものとし、同一部分には同一符号を用いるものとしてその図示と説明を省略する。
【０２３１】
次に上記実施の形態の動作について説明する。  
なお、このデジタルカメラ１においても、一般的な他のカメラと同様に、シャッタキー９が２段階の操作ストロークを有し、第１段階としてフルストロークの半分程度までの操作、一般に半押しと称される操作状態で自動合焦（ＡＦ）処理と自動露光（ＡＥ）処理とを実行してそれぞれの処理値をロックし、その後、第２段階としてフルストロークの操作、一般に全押しと称される操作状態で、上記ＡＦ値及びＡＥ値による本撮影を実行する、という動作ロジックに基づいた撮影動作を実行するものとする。
【０２３２】
加えて、キー入力部４９中のシャッタキー９は、上記２段階の操作ストロークを有するだけでなく、ユーザの手指の表面への接触を検知するタッチセンサ機能を有するものとする。
【０２３３】
また、後述する固定焦点での撮影(図中では「ＰＦ撮影」と称する）とは、その時点で選択されているズームレンズの焦点距離位置とその時点のＩＳＯ感度設定、及びＡＥ値（光量）から、制御部４２内のＲＯＭに予め固定記憶されているルックアップテーブルよりフォーカスレンズを所定の位置に移動させると共に、絞り（Ｆ）値とシャッタ速度とを読出して設定する、所謂「絞り込み」を行なった撮影を実行することで、実用上遠近ほぼ全域に渡った被写界深度を得るパンフォーカス（ＰＦ）と呼ばれる状態か、あるいはそれに近い一定の大きな被写界深度を得て撮影を行なうことを指す。
【０２３４】
図１３は、撮影モードで静止画像の撮影を実行する場合に実行される処理の内容を示すもので、その当初にはその時点で所定のフレームレート、例えば３０［フレーム／秒］で収まるように簡易なＡＦ処理とＡＥ処理を実行し、フレームレートを考慮した高速シャッタ速度によりＣＣＤ３３を連続的に駆動することで、ＣＣＤ３３で撮像されている内容を表示部２１で表示するスルー画像表示の状態を維持しながら（ステップＪ０１）、キー入力部４９のシャッタキー９表面にユーザの手指が接触したか否かを判断する（ステップＪ０２）、という処理を繰返し実行することで、シャッタキー９への接触があるのを待機する。
【０２３５】
しかして、シャッタキー９への接触があるとステップＪ０２でこれを判断し、その時点のレンズ光学系３２のズームレンズ位置に応じた焦点距離とＡＥ値とによりレンズ光学系３２のフォーカスレンズを移動させて、一定の大きな被写界深度が得られる固定焦点での撮影を実行し、得た画像をＤＲＡＭ４１に保持しておく（ステップＪ０３）。
【０２３６】
その後、今度はシャッタキー９が半押し操作されたか否か（ステップＪ０４）、まだシャッタキー９表面への接触はあるか否か（ステップＪ０５）を繰返し判断することで、シャッタキー９が半押し操作されるか、あるいはシャッタキー９への接触状態が解除されるのを待機する。
【０２３７】
ここで、シャッタキー９への接触状態が解除された場合には、ステップＪ０５でこれを判断し、シャッタキー９の操作にまでは至らなかったものとし、その時点でＤＲＡＭ４１に保持している、上記ステップＪ０３で固定焦点での撮影により得た静止画像のデータを破棄するべく消去した後に（ステップＪ０６）、再び上記ステップＪ０１からの処理に戻る。
【０２３８】
また、上記ステップＪ０４でシャッタキー９が半押し操作されたと判断した場合には、その操作に従って被写体までの距離値を正確に測定し、その焦点距離値をロックする（ステップＪ０７）。
【０２３９】
そして、この自動合焦位置をロックした状態から適正な露光値を得、その露光値から絞り値及びシャッタ速度を設定してロックした上で（ステップＪ０８）、シャッタキー９がさらに全押し操作されたか否か（ステップＪ０９）、まだ半押し操作されているか否か（ステップＪ１０）を繰返し判断することで、ＡＦ及びＡＥの各状態をロックしながらシャッタキー９が全押し操作されるか、あるいは半押し操作の状態が解除されるのを待機する。
【０２４０】
ここで、シャッタキー９の半押し状態が解除された場合には、ステップＪ１０でこれを判断し、シャッタキー９の全押し操作にまでは至らなかったものとし、その時点でＤＲＡＭ４１に保持している、上記ステップＪ０３で固定焦点での撮影により得た静止画像のデータを破棄するべく消去した後に（ステップＪ１１）、再び上記ステップＪ０１からの処理に戻る。
【０２４１】
また、上記ＡＦ値及びＡＥ値をロックした状態から、シャッタキー９が全押し操作されると、ステップＪ０９でこれを判断し、上記自動合焦機能による撮影条件をロックしたままの状態で静止画像の撮影を実行して画像データを得る（ステップＪ１２）。
【０２４２】
その後、この自動合焦により得た静止画像のデータと上記ステップＪ０３で固定焦点で得た静止画像のデータとを共にＪＰＥＧ回路４６でデータ圧縮してファイル化し、内蔵メモリ４７またはメモリカード４８に対にして記憶保存し（ステップＪ１３）、以上で一連の撮影に関する処理を終了して、再び次の撮影に備えるべく上記ステップＪ０１からの処理に戻る。
【０２４３】
このように、自動合焦機能を動作させて撮影した静止画像が結果として「ピンボケ」あるいは手振れ等の要因により不鮮明なものであった場合でも、その直前に固定焦点で撮影した静止画像は充分に鮮明なものである可能性はきわめて高く、装置や回路の規模を特に大型化、複雑化せずとも、希望する被写体に合焦した静止画像を高い確率で撮影して記憶することが可能となる。
【０２４４】
加えて、シャッタキー９への接触があった時点で固定焦点の静止画像を撮影し、その後の全押し操作で自動合焦での静止画像を撮影するものとしたので、ユーザが違和感なく固定焦点での静止画像を得ることができる。
【０２４５】
さらに、自動合焦機能による本撮影に至らなかった場合には、その前に撮影した固定焦点での画像データを破棄するものとしたので、記憶容量に制限のある内蔵メモリ４７またはメモリカード４８の記憶容量を不要に消費してしまうのを確実に回避できる。
【０２４６】
（第１１の実施の形態）  
以下本発明をデジタルカメラに適用した場合の第１１の実施の形態について図面を参照して説明する。
【０２４７】
なお、その外観構成については上記図１と、電子回路の機能構成については上記図２と基本的に同様であるものとし、同一部分には同一符号を用いるものとしてその図示と説明を省略する。
【０２４８】
次に上記実施の形態の動作について説明する。  
なお、内蔵メモリ４７またはメモリカード４８には、連続して撮影した２枚分の静止画像の画像データ、すなわち、自動合焦により撮影した静止画像の画像データと固定焦点で撮影した静止画像の画像データとが対になってそれぞれ同名のデータフォルダ内に記憶されているものとする。
【０２４９】
この場合、データフォルダ内で対にして記憶されている各静止画像の画像データファイルには、例えば  
「２００３０９０８０００１ａ．ｊｐｇ」  
「２００３０９０８０００１ｂ．ｊｐｇ」  
のようなファイル名が設定されて「２００３０９０８０００１」なるフォルダ名のデータフォルダ内に記憶されており、当該ファイル名からこれら２つのデータファイルが対であるものとして認識し、且つ識別することが可能であるものとする。
【０２５０】
上記データフォルダ名そのもの、及びファイル名中の「２００３０９０８０００１」は「２００３（年）０９（月）０８（日）」に「０００１」番目に撮影したものであることを示す。それぞれのファイル中で実画像データに対して付加設定される撮影条件データとしては、一般的な撮影日時やＩＳＯ感度、画像サイズ、シャッタ速度、絞り（Ｆ）値、ホワイトバランス情報等の他に、自動合焦機能を動作させて撮影したものであるか、固定焦点で撮影したものであるかを示す識別情報が付加設定されているものとする。
【０２５１】
したがって、記憶されたデータファイルのファイル名により２つの静止画像が対であり、連続して撮影されものであることが識別可能となるだけでなく、撮影条件データにより自動合焦機能を動作させて撮影したものであるか、固定焦点で撮影したものであるかを識別することができる。
【０２５２】
図１４は、基本モードである再生モードが選択された状態での、主としてそれぞれ対になった画像データを収納した複数のデータフォルダ中での優先順位の書換え等に関する処理内容を示すもので、その当初には内蔵メモリ４７またはメモリカード４８に記憶されている複数の画像データフォルダ中、最新のもの、すなわちデータフォルダ名の数字部分の値が最も大きいものを選択する（ステップＫ０１）。
【０２５３】
次いで、選択したデータフォルダ中、ファイル名の末尾が「ａ」となっている静止画像（．ｊｐｇ（＝ＪＰＥＧ））のデータファイルをより優先順位が高いものとして選択する（ステップＫ０２）。
【０２５４】
次いで、この選択した静止画像の画像データファイルに付加設定されている撮影条件データ中から自動合焦機能を動作させて撮影したものであるか、固定焦点で撮影したものであるかを示すいずれかの識別情報を読出し、その内容を判断する（ステップＫ０３）。
【０２５５】
自動合焦機能を動作させて撮影したものであった場合、この画像データを読出して展開し、表示部２１で上記図４（Ｂ）に示した如く画像中の左上端部に「ＡＦ」の文字を重畳した状態で表示させる（ステップＫ０４）。
【０２５６】
また、自動合焦機能を動作させて撮影したものではなく、固定焦点で撮影したものであった場合には、この画像データを読出して展開し、表示部２１で上記図４（Ａ）に示した如く画像中の左上端部に「ＰＦ」の文字を重畳した状態で表示させる（ステップＫ０５）。
【０２５７】
上記ステップＫ０４またはＫ０５による画像表示の状態を維持しながら、キー入力部４９によりなんらかのキー操作があるか否かを繰返し判断することで、対応するキー操作があるのを待機する（ステップＫ０６）。
【０２５８】
ここでなんらかのキー操作がなされるとステップＫ０６でこれを判断し、次にそのキー操作がデータフォルダを変更するためのものであるか否か、具体的には例えばリングキー１４の左方向キーあるいは右方向キーの操作によるものであるか否かを判断する（ステップＫ０７）。
【０２５９】
ここで、キー操作がデータフォルダを変更するものであると判断した場合には、そのキー操作内容に従った方向でデータフォルダを変更する処理を実行し（ステップＫ１０）、この変更したデータフォルダ中のより優先順位の高い画像データを表示するべく上記ステップＫ０２からの処理に戻る。
【０２６０】
また、上記ステップＫ０７でキー操作されたのがデータフォルダを変更するためのものではないと判断した場合には、次いでそのキー操作が画像の優先順位を入れ替えるためのもの、具体的には例えばメニューキー１６の操作とそれに続く「入替え」メニューの選択であるか否かを判断する（ステップＫ０８）。
【０２６１】
ここで、キー操作が画像の優先順位を入れ替えるためのものであると判断した場合には、次いで入替えの候補となる画像データ、すなわちファイル名の末尾が「ｂ」となっている画像データが同一データフォルダ内にあるか否かを判断する（ステップＫ１１）。
【０２６２】
この際、入替えの候補となる画像データがあると判断した場合にのみ、画像データのファイル名を書換え設定することで入替え処理とし（ステップＫ１２）、その入替えた内容によりあらたに優先順位が高くなった画像データを表示させるべく、上記ステップＫ０２からの処理に戻る。
【０２６３】
このように、より優先順位が高い静止画像がピンボケ等により鑑賞にたえず、且つ対になる（より優先順位の低い）静止画像の方が鮮明に写っている場合には、容易に上記入替えのキー操作により、表示に影響する優先順位を書換えることができる。
【０２６４】
また、上記ステップＫ１１で入替の候補となる画像データが同一データフォルダ内にはないと判断した場合には、その入替えの指示は無効（ＮＯＰ）として処理し、再び上記ステップＫ０２からの処理に戻る。
【０２６５】
さらに、上記ステップＫ０８でキー操作が画像の優先順位を入れ替えるためのものでもないと判断した場合には、次いでそのキー操作がその時点で表示されている画像データを消去するためのもの、具体的には例えばメニューキー１６の操作とそれに続く「消去」メニューの選択であるか否かを判断する（ステップＫ０９）。
【０２６６】
ここで、キー操作が画像を消去するためのものであると判断した場合には、一旦その画像を消去すると復元ができない旨と併せて、消去の確認を行なうガイドメッセージを表示部２１で表示させた上で（ステップＫ１３）、その確認操作がなされるのを待機する（ステップＫ１４）。
【０２６７】
そして、その確認操作がなされたと判断した時点で、当該静止画像の画像データファイルを当該データフォルダ内から消去設定し、併せて当該データフォルダ内の整理、例えば残っている静止画像の画像データのファイル名の整合、あるいはそのデータフォルダ内に１つも画像データが残っていない場合にはそのデータフォルダ自体の消去設定等を行なった後に（ステップＫ１５）、再び上記ステップＫ０２からの処理に戻る。
【０２６８】
なお、上記ステップＫ０９でキー操作がその時点で表示されている画像データを消去するためのものでもないと判断した場合には、そのキー操作内容に対応した処理を実行するが、本実施の形態ではその説明は省略するものとして、図中ではそのキー操作は無効であるものとして表現する。
【０２６９】
このように、連続して撮影された自動合焦機能を動作させての静止画像と固定焦点での静止画像とを内蔵メモリ４７またはメモリカード４８でデータフォルダ内に対にして記憶し、それらの中でより優先順位の高い方を選択して表示するものとし、且つ該優先順位を簡単なキー操作により任意に書換可能としたので、ユーザの意図を反映した、よりよい画像を簡易な操作で読出して表示させることが可能となる。
【０２７０】
なお、上記第１１の実施の形態では、対になった２つの静止画像の画像データが同名のデータフォルダ内に収納された状態で内蔵メモリ４７またはメモリカード４８に記憶されるものとして説明したが、本発明はこれに限らず、対になる画像データをデータフォルダ内にではなく記憶するものとしてもよい。
【０２７１】
また、上記第１乃至第１１の実施の形態はいずれも、デジタルカメラに適正した場合について説明したものであるが、本発明はこれに限らず、レンズ光学系中のフォーカスレンズを移動させて自動合焦可能なカメラ機能を有した他の小型電子機器、例えば携帯電話機やＰＤＡ（Ｐｅｒｓｏｎａｌ  Ｄｉｇｉｔａｌ  Ａｓｓｉｓｔａｎｔｓ：個人向け情報携帯端末）等でも同様に適用することが可能である。
【０２７２】
その他、本発明は上記実施の形態に限らず、その要旨を逸脱しない範囲内で種々変形して実施することが可能であるものとする。
【０２７３】
さらに、上記実施の形態には種々の段階の発明が含まれており、開示される複数の構成要件における適宜な組合わせにより種々の発明が抽出され得る。例えば、実施の形態に示される全構成要件からいくつかの構成要件が削除されても、発明が解決しようとする課題の欄で述べた課題の少なくとも１つが解決でき、発明の効果の欄で述べられている効果の少なくとも１つが得られる場合には、この構成要件が削除された構成が発明として抽出され得る。
【図面の簡単な説明】
【０２７４】
【図１】本発明の第１の実施の形態に係るデジタルカメラの外観構成を示す斜視図。
【図２】同実施の形態に係る電子回路の機能構成を示すブロック図。
【図３】同実施の形態に係る撮影モード時の処理内容を示すフローチャート。
【図４】同実施の形態に係る２つの撮影結果である固定焦点による撮影画像と自動合焦による撮影画像とを例示する図。
【図５】本発明の第２の実施の形態に係る撮影モード時の処理内容を示すフローチャート。
【図６】本発明の第３の実施の形態に係る撮影モード時の処理内容を示すフローチャート。
【図７】本発明の第４の実施の形態に係る撮影モード時の処理内容を示すフローチャート。
【図８】本発明の第５の実施の形態に係る撮影モード時の処理内容を示すフローチャート。
【図９】本発明の第６の実施の形態に係る撮影モード時の処理内容を示すフローチャート。
【図１０】本発明の第７の実施の形態に係る撮影モード時の処理内容を示すフローチャート。
【図１１】本発明の第８の実施の形態に係る撮影モード時の処理内容を示すフローチャート。
【図１２】本発明の第９の実施の形態に係る撮影モード時の処理内容を示すフローチャート。
【図１３】本発明の第１０の実施の形態に係る撮影モード時の処理内容を示すフローチャート。
【図１４】本発明の第１１の実施の形態に係る撮影モード時の処理内容を示すフローチャート。
【符号の説明】
【０２７５】
１…デジタルカメラ、２…ボディ、３…撮影レンズ、４…セルフタイマランプ、５…光学ファインダ窓、６…ストロボ発光部、７…マイクロホン部、８…電源キー、９…シャッタキー、１０…テレ（Ｔ）キー、１１…ワイド（Ｗ）キー、１２…撮影（Ｒ）モードキー、１３…再生（Ｐ）モードキー、１４…リングキー、１５…セット（ＳＥＴ）キー、１６…メニュー（ＭＥＮＵ）キー、１７…光学ファインダ、１８…スピーカ部、１９…マクロキー、２０…ストロボキー、２１…表示部、３１…モータ（Ｍ）、３２…レンズ光学系、３３…ＣＣＤ、３４…タイミング発生器（ＴＧ）、３５…ＣＣＤドライバ、３６…サンプルホールド回路（Ｓ／Ｈ）、３７…Ａ／Ｄ変換器、３８…カラープロセス回路、３９…ＤＭＡコントローラ、４０…ＤＲＡＭインタフェース（Ｉ／Ｆ）、４１…ＤＲＡＭ、４２…制御部、４３…ＶＲＡＭコントローラ、４４…ＶＲＡＭ、４５…デジタルビデオエンコーダ、４６…ＪＰＥＧ回路、４７…内蔵メモリ、４８…メモリカード、４９…キー入力部、５０…音声処理部、５１…加速度センサ、５２…ストロボ駆動部。
【図１】
2006215266.tif 000003
【図２】
2006215266.tif 000004
【図３】
2006215266.tif 000005
【図４】
2006215266.tif 000006
【図５】
2006215266.tif 000007
【図６】
2006215266.tif 000008
【図７】
2006215266.tif 000009
【図８】
2006215266.tif 000010
【図９】
2006215266.tif 000011
【図１０】
2006215266.tif 000012
【図１１】
2006215266.tif 000013
【図１２】
2006215266.tif 000014
【図１３】
2006215266.tif 000015
【図１４】
2006215266.tif 000016
【手続補正書】
【提出日】平成17年11月25日(2005.11.25)
【手続補正１】
【補正対象書類名】特許請求の範囲
【補正対象項目名】請求項１０
【補正方法】変更
【補正の内容】
【請求項１０】
上記撮影手段での撮影に同期した本発光とその事前のプリ発光の２回の発光動作により被写体像方向に補助光を照射する補助照明手段と、
上記プリ発光時に上記一定の被写界深度が得られる予め指定された位置にレンズを移動させて撮影を実行させるか否かを指定する指定手段とをさらに具備し、
上記撮影制御手段は、上記指定手段での指定内容に応じ、上記プリ発光時またはプリ発光時を外して上記一定の被写界深度が得られる予め指定された位置にレンズを移動させての撮影を実行させ、上記本発光時に自動合焦での撮影を実行させる
ことを特徴とする請求項１記載の撮像装置。
【手続補正２】
【補正対象書類名】明細書
【補正対象項目名】００１５
【補正方法】変更
【補正の内容】
【００１５】
請求項１０記載の発明は、上記請求項１記載の発明において、上記撮影手段での撮影に同期した本発光とその事前のプリ発光の２回の発光動作により被写体像方向に補助光を照射する補助照明手段と、上記プリ発光時に上記一定の被写界深度が得られる予め指定された位置にレンズを移動させて撮影を実行させるか否かを指定する指定手段とをさらに具備し、上記撮影制御手段は、上記指定手段での指定内容に応じ、上記プリ発光時またはプリ発光時を外して上記一定の被写界深度が得られる予め指定された位置にレンズを移動させての撮影を実行させ、上記本発光時に自動合焦での撮影を実行させることを特徴とする。